(57)【要約】【課題】マトリクス状に配置された画素を有し、複数の視点に対応する画像を表示する表示部と、前記表示部に対向する位置に配置され、複数の電極を含む複数の制御ユニットを有し、各制御ユニットを複数の電極に与えられる電荷に応じて、各画素の光を各視点へと振り分ける視差調整部と外部情報に基づいて、前記制御ユニットを構成する電極の数、又は、位置を変更する視差制御部と、外部情報に基づいて、各視点に対応する画像を表示する隣接画素数を変更する表示制御部と、を有する表示装置。【解決手段】表示装置の表示面に対する前後方向の視点位置の変動に対して、視点毎に最適な画像を表示することが可能な表示装置、電子機器及び表示装置の制御方法を提供する。【選択図】図５
2017129749.tif 000002
【特許請求の範囲】
【請求項１】
マトリクス状に配置された画素を有し、複数の視点に対応する画像を表示する表示部と、
前記表示部に対向する位置に配置され、光を透過する複数の透過領域と、光の透過を制限する複数の非透過領域とが切り替え可能に設けられた視差調整部と、
外部情報に基づいて、透過領域と非透過領域の位置を変更する視差制御部と、
外部情報に基づいて、各視点に対応する画像を表示する隣接画素数を変更する表示制御部と、
を有する
表示装置。
【請求項２】
表示制御部は、表示部と視点との距離が第１の距離より短い第２の距離にある場合において、前記第１の距離において各視点に対応する画像を表示する隣接画素数より、前記第２の距離において各視点に対応する画像を表示する隣接画素数の方が多くする、
請求項１に記載の表示装置。
【請求項３】
前記画素は少なくとも２以上の色と対応付けられており、
前記各視点に対応付けられた隣接画素は、同一の色が対応付けらえている
請求項１から請求項２のいずれか１項に記載の表示装置。
【請求項４】
前記画素は少なくとも２以上の色と対応付けられており、
前記視点の数をｋとして、前記外部情報が第１の値を示す場合において、各視点に対応する画像を表示する隣接画素数をａ（ａ≧１）として、前記外部情報が第２の値を示す場合において、各視点に対応する画像を表示する隣接画素数をｂ（ｂ＞ａ）とすると、
ｋａとｋｂの最小公倍数Ｓに相当する数の連続して配置される画素において、Ｓ／ｋ個の画素に同一の画素信号が供給する
請求項１から請求項３のいずれか１項に記載の表示装置。
【請求項５】
前記画素ごとに少なくとも視点数に対応する数のスイッチ素子を有し、
表示制御部は、前記スイッチ素子を切り替える
請求項１から請求項４のいずれか１項に記載の表示装置。
【請求項６】
前記表示制御部は、前記各視点に対応するゲート線と接続されたゲート選択回路を有しており、
前記表示制御部は、ゲート選択回路に印加された選択信号に応じて、選択されたゲート線にゲート信号を印加する
請求項５に記載の表示装置。
【請求項７】
前記視差調整部は、第２方向に沿って延在し、第１方向に配列された電極を有する
請求項１に記載の表示装置。
【請求項８】
前記外部情報に基づいて、複数の前記透過領域のうち一部の前記透過領域、又は複数の前記非透過領域のうち一部の前記非透過領域の幅を変化させる
請求項１から請求項７のいずれか１項に記載の表示装置。
【請求項９】
前記表示部は、マトリクス状に画素が配置された表示パネルと、表示パネルに対して光を照射する照明部からなり、
前記視差調整部は、前記照明部と前記表示パネルとの間に配置される
請求項１から請求項８のいずれか１項に記載の表示装置。
【請求項１０】
マトリクス状に配置された画素を有し、複数の視点に対応する画像を表示する表示部と、
前記表示部に対向する位置に配置され、光を透過する複数の透過領域と、
光の透過を制限する複数の非透過領域とが切り替え可能に設けられた視差調整部とを有する表示装置の制御方法であって、
外部情報に基づいて、透過領域と非透過領域の位置を変更し、各視点に対応する画像を表示する隣接画素数を変更する表示装置の制御方法。
【請求項１１】
マトリクス状に配置された画素を有し、複数の視点に対応する画像を表示する表示部と、
前記表示部に対向する位置に配置され、光を透過する複数の透過領域と、光の透過を制限する複数の非透過領域とが切り替え可能に設けられた視差調整部と、
外部情報に基づいて、透過領域と非透過領域の位置を変更する視差制御部と、
外部情報に基づいて、各視点に対応する画像を表示する隣接画素数を変更する表示制御部と、
前記視点に関する位置情報を取得する位置情報取得部を有する
電子機器。
【請求項１２】
マトリクス状に配置された画素を有し、少なくとも第１視点と第２視点に対応する画像を表示する表示部と、
前記表示部に対向する位置に配置され、光を透過する複数の透過領域と、光の透過を制限する複数の非透過領域とが切り替え可能に設けられた視差調整部と、を有し、
観察者と表示部との距離が第１の距離にある場合において、
視差調整部は、少なくとも一部の透過領域と非透過領域が第１の間隔で交互に配置され、
表示部は隣接するｐ（ｐ≧１）個の画素で各視点に対応する画像を表示し、
観察者と表示部との距離が第１の距離より短い第２の距離にある場合において、
視差調整部は、少なくとも一部の透過領域と非透過領域が第１の間隔より大きい第２の間隔で交互に配置され、
表示部は隣接するｑ個（ｑ＞ｐ）の画素で各視点に対応する画像を表示する表示装置。
【請求項１３】
マトリクス状に配置された画素を有し、複数の視点に対応する画像を表示する表示部と、
前記表示部に対向する位置に配置され、複数の電極を含む複数の制御ユニットを有し、各制御ユニットを複数の電極に与えられる電荷に応じて、各画素の光を各視点へと振り分ける視差調整部と
外部情報に基づいて、前記制御ユニットを構成する電極の数、又は、位置を変更する視差制御部と、
外部情報に基づいて、各視点に対応する画像を表示する隣接画素数を変更する表示制御部と、を有する
表示装置。
【発明の詳細な説明】
【技術分野】
【０００１】
本発明は、画像を表示する表示装置、電子機器及び表示装置の制御方法に関する。
【背景技術】
【０００２】
液晶表示装置（ＬＣＤ：Ｌｉｑｕｉｄ  Ｃｒｙｓｔａｌ  Ｄｉｓｐｌａｙ）を含む表示装置には、観察者が裸眼で立体画像を視認することができる装置がある。下記特許文献１には、右眼用画像と左眼用画像とを分割して交互に配置して表示する表示部と、表示部の前面側に視差バリアを形成するバリア部とを備えたパララックスバリア方式の表示装置が記載されている。特許文献１に記載されている表示装置は、観察者と表示部との距離に応じてバリア部のスリット幅を制御して、表示画像の立体視が可能な表示画像に対する前後方向の距離範囲を拡大する。
【先行技術文献】
【特許文献】
【０００３】
【特許文献１】特開２０１１−５３２７７号公報
【発明の概要】
【発明が解決しようとする課題】
【０００４】
特許文献１に記載されている表示装置は、バリア部を構成する複数のスリット部の幅を観察者と表示部との距離に応じて変更することをしているが、表示部は、観察者と表示部との距離に応じて、各視点に対応する視点画像の表示位置を変更されていない。そのため、観察者と表示部との距離が変動した場合において、スリット部の中央を透過する光が画素の中心から画素の端部にずれ、隣接する画素からの光が観察者に視認される可能性がある。
【０００５】
本発明は、表示装置の表示面に対する前後方向の視点位置の変動に対して、視点毎に最適な画像を表示することが可能な表示装置、電子機器及び表示装置の制御方法を提供することを目的とする。
【課題を解決するための手段】
【０００６】
本発明の一態様の表示装置は、マトリクス状に配置された画素を有し、複数の視点に対応する画像を表示する表示部と、前記表示部に対向する位置に配置され、光を透過する複数の透過領域と、光の透過を制限する複数の非透過領域とが切り替え可能に設けられた視差調整部と、外部情報に基づいて、透過領域と非透過領域の位置を変更する視差制御部と、外部情報に基づいて、各視点に対応する画像を表示する隣接画素数を変更する表示制御部とを有する。
【０００７】
本発明の一態様の表示装置の制御方法は、マトリクス状に配置された画素を有し、複数の視点に対応する画像を表示する表示部と、前記表示に対向する位置に配置され、光を透過する複数の透過領域と、光の透過を制限する複数の非透過領域とが切り替え可能に設けられた視差調整部とを有する表示装置の制御方法であって、外部情報に基づいて、透過領域と非透過領域の位置を変更し、各視点に対応する画像を表示する隣接画素数を変更する。
【０００８】
本発明の一態様の電子機器は、マトリクス状に配置された画素を有し、複数の視点に対応する画像を表示する表示部と、前記表示部に対向する位置に配置され、光を透過する複数の透過領域と、光の透過を制限する複数の非透過領域とが切り替え可能に設けられた視差調整部と、外部情報に基づいて、透過領域と非透過領域の位置を変更する視差制御部と、外部情報に基づいて、各視点に対応する画像を表示する隣接画素数を変更する表示制御部と、前記視点に対応する観察者を撮像する撮像手段と、前記撮像手段からの画像データに基づいて前記視点に関する位置情報を取得する位置情報取得部を有する。
【０００９】
本発明の一態様の表示装置は、マトリクス状に配置された画素を有し、少なくとも第１視点と第２視点に対応する画像を表示する表示部と、前記表示部に対向する位置に配置され、光を透過する複数の透過領域と、光の透過を制限する複数の非透過領域とが切り替え可能に設けられた視差調整部と、を有し、観察者と表示部との距離が第１の距離にある場合において、視差調整部は、少なくとも一部の透過領域と非透過領域が第１の間隔で交互に配置され、表示部は隣接するｐ（ｐ≧１）個の画素で各視点に対応する画像を表示し、観察者と表示部との距離が第１の距離より短い第２の距離にある場合において、視差調整部は、少なくとも一部の透過領域と非透過領域が第１の間隔より大きい第２の間隔で交互に配置され、表示部は隣接するｑ個（ｑ＞ｐ）の画素で各視点に対応する画像を表示する。
【００１０】
本発明の一態様の表示装置は、マトリクス状に配置された画素を有し、複数の視点に対応する画像を表示する表示部と、前記表示部に対向する位置に配置され、複数の電極を含む複数の制御ユニットを有し、各制御ユニットを複数の電極に与えられる電荷に応じて、各画素の光を各視点へと振り分ける視差調整部と、外部情報に基づいて、前記制御ユニットを構成する電極の数、又は、位置を変更する視差制御部と、外部情報に基づいて、各視点に対応する画像を表示する隣接画素数を変更する表示制御部とを有する。
【図面の簡単な説明】
【００１１】
【図１】図１は、実施形態に係る表示装置の機能構成の一例を示すブロック図である。
【図２】図２は、実施形態に係る表示装置の分解斜視図である。
【図３】図３は、表示部の画素に対応付けられる色と視点との対応関係の一例を示す模式図である。
【図４】図４は、比較例における表示制御部の動作を示すための説明図である。
【図５】図５は、本実施形態にかかる表示制御部の動作を示すための説明図である。
【図６】図６は、表示部及び視差調整部を有する表示装置の概略断面構造を表す断面図である。
【図７】図７は、実施形態にかかる表示制御部を構成する回路の模式図である。
【図８】図８は、各視点に対応する画像を表示する隣接画素数を１とした場合の表示制御部の動作を示すための説明図である。
【図９】図９は、各視点に対応する画像を表示する隣接画素数を２とした場合の表示制御部の動作を示すための説明図である。
【図１０】図１０は、視点に関する位置情報が第１の値である場合の視差制御部の動作を示すための説明図である。
【図１１】図１１は、視点に関する位置情報が第２の値である場合の視差制御部の動作を示すための説明図である。
【図１２】図１２は、同一視点が対応付けられた隣接画素の配置パターンの一例を示す説明図である。
【図１３】図１３は、視差調整部における透過領域と非透過領域の配置パターンの一例を示す説明図である。
【図１４】図１４は、表示制御部を構成する回路の別例を示す模式図である。
【図１５】図１５は、視点と視差調整部との距離に変動があった場合の非透過領域に対応する画素の領域の変化を示す説明図である。
【図１６】図１６は、視差調整部の制御ユニットの幅の変更例の一例を示す説明図である。
【図１７】図１７は、本発明が適用された電子機器の機能構成の一例を示すブロック図である。
【図１８】図１８は、本発明が適用された電子機器で行われる制御方法の一例を示すフローチャートである。
【図１９】図１９は、メモリに格納されるテーブルデータの一例を示す図である。
【図２０】図２０は、表示部に対応付けられる色の配置パターンの別例を示す図である。
【図２１】図２１は、視差調整部が斜め方向に透過領域を形成する場合の一例を示す図である。
【図２２】図２２は、視差調整部が液晶レンズの場合の比較例における動作を説明するための説明図である。
【図２３】図２３は、視差調整部が液晶レンズの場合の本実施形態における動作を説明するための説明図である。
【図２４】図２４は、視点に関する位置情報が第２の値を示す場合の視差調整部の動作の別例を示す説明図である。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
＜１．実施形態＞
（機能構成）
図１は、実施形態に係る表示装置の機能構成の一例を示すブロック図である。本実施形態の表示装置１は、複数の視点に対応する画像を表示する画素が設けられた表示部２と、表示部２の各視点に対応付けられた光を各視点に振り分ける視差調整部３とを有する。なお、表示部２は画素に対して光を照射する照明部６を有してもよい。さらに本実施形態の表示装置１は、外部情報に基づいて、各視点に対応する画像を表示する隣接画素数を変更する表示制御部４と、外部情報に基づいて、視差調整部３の透過領域と非透過領域の位置を変更する視差制御部５とを有する。なお、隣接画素数とは、視差調整部３の透過領域又は非透過領域を制御する第３電極の延在方向であるＹ軸方向とは交差するＸ軸方向に隣接する画素を示す。
【００１４】
（構造概要）
図２は、実施形態に係る表示装置の分解斜視図であり、図３は、表示部の画素に対応付けられる色または視点との対応関係の一例を示す模式図である。以下の説明においては、ＸＹＺ座標系を設定し、このＸＹＺ座標系を参照しつつ各部の位置関係について説明する。水平面内の一方向であるＸ軸方向を左右方向（第１方向）とし、水平面内においてＸ軸方向と交差する方向としてＹ軸方向を縦方向（第２方向）とし、Ｘ軸方向及びＹ軸方向のそれぞれと交差するＺ軸方向を前後方向（第３方向）とする。Ｚ軸方向は言い換えると、Ｘ軸方向及びＹ軸方向の形成される水平面に対する垂線方向を示す。また、表示装置の観察者に対向する平面を表面といい、表面と反対側の面を裏面とする。たとえば、表示部の表面は表示面２Ｓを示す。
【００１５】
表示部２は、図２に示すように、複数の画素Ｐがマトリクス状に配置されている。例えば、画素Ｐは、図２に示すＸ方向にＮ個配列され、Ｙ方向にＭ個配列された二次元配列されている（Ｎ、Ｍは１以上の自然数）。ここで、画素Ｐとは、光量を調整することができる最小単位を示す。表示部２が透過型の液晶表示装置である場合、表示部２は、表示パネル２０と照明部６を有する。照明部６は表示パネル２０に対して光を照射し、表示パネル２０は、各画素Ｐに入射される光の透過率を調整することで、表示面２Ｓに画像を表示させる。照明部６は、表示パネル２０に向けて面状の光を出射する照明装置である。照明部６は、光の出射面が表示パネル２０と対向するように配置される。照明部６は、例えば、表示パネル２０の裏面に配置されバックライトとして設けられる。
【００１６】
視差調整部３は、図２に示すように、光を透過する複数の透過領域３０１と、光を制限する複数の非透過領域３０２とを有する。たとえば、透過領域３０１と非透過領域３０２とはＹ方向に延在し、Ｘ方向に交互に配列される。視差調整部３は、表示部２に対して表面側に配置されており、表示部２の各画素Ｐからの光を透過領域３０１が透過し、各画素Ｐからの光を非透過領域３０２が制限することで、各視点に対応する画素Ｐからの光を各視点に振り分ける。
【００１７】
図３に示すように、表示部２に含まれる各画素Ｐは、複数の視点のいずれかが対応付けられる。例えば、第１視点（左眼）が対応づけられた画素を画素ＰＬ、第２視点（右眼）が対応付けられた画素を画素ＰＲと示す。また、表示部２に含まれる各画素Ｐは、２以上の色のいずれか一つの色が対応付けられる。例えば、第１の色として赤色が対応付けられた画素を画素Ｐｒ、第２の色として緑色が対応付けられた画素を画素Ｐｇ、第３の色として青色が対応付けられた画素を画素Ｐｂと示す。さらに、赤色と左眼用視点に対応する画素を画素ＰｒＬ、赤色と右眼用視点に対応する画素を画素ＰｒＲ、緑色と左眼用視点に対応する画素を画素ＰｇＬ、緑色と右眼用視点に対応する画素を画素ＰｇＲ、青色と左眼用視点に対応する画素を画素ＰｂＬ、青色と右眼用視点に対応する画素を画素ＰｂＲと示す。
【００１８】
（比較例の動作）
図４は比較例における表示制御部の動作を示すための説明図であり、図５は本実施形態にかかる表示制御部の動作を示すための説明図である。比較例と対比して、本実施例の表示装置１の表示制御部４の機能について説明する。比較例は、本実施例の表示制御部４とは異なり、外部情報に応じて、各視点に対応する画像を表示する隣接画素数を変更しない。ここで、外部情報には視点に関する位置情報が含まれる。視点に関する位置情報とは、視点の表示装置に対する位置関係を示す情報であり、座標情報、距離情報、角度情報等で示される。ここで、座標情報とは、例えば、透過領域３０１の中心ＣＰに対する視点の座標情報であり、距離情報とは、例えば、表示面２Ｓ若しくは視差調整部３の表面と視点とのＺ軸方向の距離Ｌである。更に、角度情報とは、例えば、視差調整部３の表面の垂線と、透過領域３０１の中心ＣＰと視点を結ぶ線分と、のなす角θである。また、視点に関する位置情報は、観察者の右眼や左眼の位置に基づく情報に限らず、観察者の頭部の位置や体の位置に基づく情報であってもよい。
【００１９】
図４に示す通り、比較例では、視点に関する位置情報が第１の値を示す場合において、各視点と視差調整部３の透過領域３０１の中心ＣＰを透過する光は画素Ｐの中心位置を透過する。例えば、左眼（第１視点）に対応する視点ＯＰＬと、視差調整部３の表面とのＺ軸方向の距離がＬ１である場合において、視点ＯＰＬと透過領域３０１の中心ＣＰを結ぶ線分は画素ＰｇＬの中心位置を透過する。また、右眼（第２視点）に対応する視点ＯＰＲと、視差調整部３の表面とのＺ軸方向の距離がＬ１である場合において、視点ＯＰＲと透過領域３０１の中心ＣＰを結ぶ線分は画素ＰｇＲの中心位置を透過する。言い換えると、例えば、視点ＯＰＬと中心ＣＰとを結ぶ線分と視差調整部３の表面の垂線とのなす角が角度θＬ１である場合において、視点ＯＰＬと透過領域３０１の中心ＣＰを結ぶ線分は画素ＰｇＬの中心位置を透過する。また、視点ＯＰＲと中心ＣＰとを結ぶ線分と視差調整部３の表面の垂線とのなす角が角度θＲ１である場合において、視点ＯＰＲと透過領域３０１の中心ＣＰを結ぶ線分は画素ＰｇＲの中心位置を透過する。
【００２０】
視点に関する位置情報が第１の値を示す場合において、それぞれの視点に対して最も輝度の高い透過領域３０１の中心を通る光が画素の中心を通るため、各視点に対して、隣接画素とのクロストークや異なる視点が対応付けられた画素を視認することによる逆視が抑えられた画像を視認させることができる。
【００２１】
続いて、比較例では、視点が表示面２Ｓに近づくようにＺ軸方向に移動し、視点に関する位置情報が第２の値を示す場合において、各視点と視差調整部３の透過領域３０１の中心ＣＰを透過する光は、隣接画素との境界位置を透過する。例えば、左眼（第１視点）に対応する視点ＯＰＬと、視差調整部３の表面とのＺ軸方向の距離がＬ２である場合において、視点ＯＰＬと透過領域３０１の中心ＣＰを結ぶ線分は画素ＰｇＬと画素ＰｒＲの境界位置を透過する。例えば、右眼（第２視点）に対応する視点ＯＰＲと、視差調整部３の表面とのＺ軸方向の距離がＬ２である場合において、視点ＯＰＲと透過領域３０１の中心ＣＰを結ぶ線分は画素ＰｇＲと画素ＰｂＬの境界位置を透過する。言い換えると、例えば、視点ＯＰＬと中心ＣＰとを結ぶ線分と視差調整部３の表面の法線とのなす角が角度θＬ２である場合において、視点ＯＰＬと透過領域３０１の中心ＣＰを結ぶ線分は画素ＰｇＬと画素ＰｒＲの境界位置を透過する。また、視点ＯＰＲと中心ＣＰとを結ぶ線分と視差調整部３の表面の法線とのなす角が角度θＲ２である場合において、視点ＯＰＲと透過領域３０１の中心ＣＰを結ぶ線分は画素ＰｇＲと画素ＰｂＬの境界位置を透過する。
【００２２】
比較例では、表示制御部が視点に関する位置情報に基づいて、各視点に対応する画像を表示する隣接画素数を変更しない。そのため、視点に関する位置情報が第２の値を示す場合において、それぞれの視点に対して最も輝度の高い透過領域３０１の中心を通る光が隣接画素との境界位置を透過するため、隣接画素が各視点から視認される。例えば、左眼に対応する視点ＯＰＬにおいては右眼用の画素である画素ＰｒＲが視認され、右眼に対応する視点ＯＰＲにおいては左眼用の画素である画素ＰｂＬが視認される。そのため、異なる視点用の画素からの光漏れによるクロストークが発生してしまう。
【００２３】
（本実施形態の動作）
図５に示す通り、本実施形態では、視点に関する位置情報が第１の値を示す場合においては、比較例と同様に、各視点と視差調整部３の透過領域３０１の中心ＣＰを透過する光は画素の中心位置を透過する。視点に関する位置情報が第１の値を示す場合において、それぞれの視点に対して最も輝度の高い透過領域３０１の中心を通る光がそれぞれの視点に対応する画素の中心を通るため、各視点において隣接画素とのクロストークが抑えられた画像を視認させることができる。
【００２４】
本実施例では、視点が表示面２Ｓに近づくようにＺ軸方向に移動し、視点に関する位置情報が第２の値を示す場合において、表示制御部４は、各視点に対応する画像を表示する隣接画素数を変更する。例えば、視差調整部３において透過領域３０１と非透過領域３０２が交互に配設される方向（Ｘ軸方向）に隣接する、各視点に対応する画像を表示する隣接画素数を２に変更する。言い換えると、それぞれの画素Ｐからの光が透過する透過領域３０１の中心に対して視点とは逆方向の隣接画素数を２に変更する。つまり、左眼（第１視点）に対応する画素ＰｇＬと、右眼（第２視点）に対応する画素ＰｇＲがそれぞれ２つ連続して配置される。そのため、視点に関する位置情報が第２の値を示す場合において、各視点と視差調整部３の透過領域３０１の中心ＣＰを透過する光は、同一の視点に対応する隣接画素との境界位置を透過する。例えば、左眼（第１視点）に対応する視点ＯＰＬと、視差調整部３の表面とのＺ軸方向の距離がＬ２である場合において、視点ＯＰＬと透過領域３０１の中心ＣＰを結ぶ線分は画素ＰｇＬと画素ＰｇＬの境界位置を透過する。また、右眼（第２視点）に対応する視点ＯＰＲと、視差調整部３の表面とのＺ軸方向の距離がＬ２である場合において、視点ＯＰＲと透過領域３０１の中心ＣＰを結ぶ線分は画素ＰｇＲと画素ＰｇＲの境界位置を透過する。言い換えると、例えば、視点ＯＰＬと中心ＣＰとを結ぶ線分と視差調整部３の表面の法線とのなす角が角度θＬ２である場合において、視点ＯＰＬと透過領域３０１の中心ＣＰを結ぶ線分は画素ＰｇＬと画素ＰｇＬの境界位置を透過する。また、視点ＯＰＲと中心ＣＰとを結ぶ線分と視差調整部３の表面の法線とのなす角が角度θＲ２である場合において、視点ＯＰＲと透過領域３０１の中心ＣＰを結ぶ線分は画素ＰｇＲと画素ＰｇＲの境界位置を透過する。
【００２５】
視点に関する位置情報が第２の値を示す場合において、それぞれの視点に対して最も輝度の高い透過領域３０１の中心を通る光が同一の視点に対応する隣接画素との境界位置を透過するため、各視点から視認される画素は、各視点に対応付けられた画素となる。例えば、左眼（第１視点）に対応する視点ＯＰＬから視認される画素は、いずれも左眼用の画素である画素ＰｇＬとなり、右眼（第２視点）に対応する視点ＯＰＲから視認される画素は、いずれも右眼用の画素である画素ＰｇＲとなる。そのため、異なる視点に対応する画素が視認されることによって生じするクロストークを抑制することができる。
【００２６】
（構造詳細：表示部）
次に、表示部２及び視差調整部３の構成例を説明する。図６は、表示部２及び視差調整部３を有する表示装置１の概略断面構造を表す断面図である。
【００２７】
図６に示すように、表示装置１は、表示部２に視差調整部３が積層される。本実施形態では、表示装置１は、表示部２と視差調整部３とが接着層３０で接着されている。表示部２は、第１基板２１と、この第１基板２１の表面に垂直な方向に対向して配置された第２基板２２と、第１基板２１と第２基板２２との間に挿設された画素ごとに光量を調整する表示機能層２００とを有する。なお、第１基板２１と第２基板２２はガラス基板又はフィルム基板である。第１基板２１と第２基板２２とは、シール材２９によって接着されている。
【００２８】
表示機能層２００は、第１基板２１上の表面に画素毎にマトリクス状に配設された複数の第１電極２３と、少なくとも１以上の第１電極２３と対向するように形成される複数の第２電極２４と、第１電極２３と第２電極２４とを絶縁する絶縁層とを有し、例えば、第１基板２１に対して、第２電極２４、絶縁層、第１電極２３の順で積層される。なお、本実施形態では、第２電極２４は、複数の第１電極２３に共通の板状の電極である。
【００２９】
表示機能層２００は、第２基板２２の裏面に形成されたカラーフィルタ２６を含む。カラーフィルタ２６は、赤（Ｒ）、緑（Ｇ）、青（Ｂ）の３色に着色されたカラーフィルタが周期的に配列されて、各画素Ｐに対応付けられる色と対応するように配列される。例えば、Ｙ軸方向において同一の列に配置される画素Ｐには同一の色が対応付けられるように配列され、Ｘ軸方向において所定の画素列分の周期で異なる色が対応付けられるように配列される。なお、カラーフィルタ２６は、第１基板２１上に形成されてもよい。
【００３０】
表示機能層２００は表示素子として電界の状態に応じて通過する光を変調する液晶層２５を有する。液晶層２５は、本実施形態においては、例えば、ＩＰＳ（インプレーンスイッチング）等の横電界モードの液晶を用いているが、縦電界モードの液晶でもよい。  例えば、ＴＮ（Ｔｗｉｓｔｅｄ  Ｎｅｍａｔｉｃ：ツイステッドネマティック）、ＶＡ（Ｖｉｒｔｉｃａｌ  Ａｌｉｇｎｍｅｎｔ：垂直配向）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折）等の各種モードの液晶を用いてもよい。液晶層２５と第１基板２１との間、及び液晶層２５と第２基板２２との間には、それぞれ液晶の初期配向方向を規定する配向膜が配設されてもよい。
【００３１】
第１基板２１の裏面には第１偏光板２７が配置され、第２基板２２の表面には第２偏光板２８が配設されている。例えば、第１偏光板２７と第２偏光板２８はクロスニコルの関係にある。第２偏光板２８の表面は接着層３０を介して視差調整部３が接着されている。接着層３０は、例えば、透明性の接着剤であって、光学弾性樹脂（ＳＶＲ）等を用いてもよい。なお、第２偏光板２８は第２基板２２の表面に配設されているが、これに限らず、第２偏光板２８が第３基板３１の裏面に形成され、第２偏光板２８の裏面が接着層３０を介して表示部２と接着されていてもよい。
【００３２】
第１基板２１の裏面に対向する位置に照明部６が配置される。照明部６は、光源６１と導光板６２とを有し、光源６１は導光板６２の側面に配置され、導光板６２は、表示パネル２０と対向するように配置されている。光源６１からの光が導光板６２に入光し、導光板６２を介して、表示パネル２０に対して光が照射される。例えば、光源６１はＬＥＤ(発光ダイオード)等が用いられる。また、本実施形態において、照明部６は、光源６１が導光板の側面に配置されるサイドライト方式の場合について説明するが、これに限らず、光源６１を表示パネル２０に対向する位置に複数設ける直下型方式を用いてもよい。また、導光板６２と表示パネル２０との間には、光学シートが配置されていてもよい。例えば、光学シートとしては、プリズムシート等の輝度向上シートを用いてもよい。さらに、導光板６２の裏面には、反射防止フィルム等の光学シートが配置されていてもよい。
【００３３】
（構造詳細：視差調整部）
視差調整部３は、第３基板３１と、第３基板３１の表面上に配置されＹ軸方向に延在し、Ｘ軸方向に配設された列状の複数の第３電極３３と、第４基板３２と、第４基板３２の裏面上に配置され複数の第３電極３３に対向する板状の電極である第４電極３４と、第４基板３２の表面上に配置された第３偏光板３７とが設けられている。例えば、第２偏光板２８と第３偏光板３７はクロスニコルの関係にある。なお、第３基板３１と第４基板３２はガラス基板又はフィルム基板である。第３基板３１と第４基板３２とは、シール材３９によって接着されている。
【００３４】
第３基板３１と第４基板３２の間には、液晶層３５が充填されている。液晶層３５は、第３電極３３と第４電極３４に印加される電圧によって生じる電界の状態に応じてそこを通過する光を変調するものである。液晶層３５は、本実施形態においては、例えば、ＴＮ、ＶＡ、ＥＣＢ等の縦電界モードの液晶が用いられるが、これに限定されるものではなく、例えば、ＩＰＳ等の横電界モードの液晶を用いてもよい。液晶層３５と第３基板３１との間及び液晶層３５と第４基板３２との間には、それぞれ液晶の初期配向方向を規定する配向膜が配設されてもよい。
【００３５】
（構造詳細：表示制御部）
図７は、実施形態に係る表示制御部４を構成する回路の模式図である。本実施形態において、表示制御部４は、画素Ｐごとに形成される各視点に対応するスイッチ素子４１、各視点に対応する複数のスイッチ素子４１のいずれかを選択的に駆動する選択回路４０を有する。選択回路４０は、画素Ｐが配置される表示領域ＤＡの外側に配置される非表示領域ＦＡに形成される。スイッチ素子４１は、例えば、左眼（第１視点）に対応するスイッチ素子４１Ｌと、右眼（第２視点）に対応するスイッチ素子４１Ｒの２つのスイッチ素子からなる。
【００３６】
スイッチ素子４１Ｌとスイッチ素子４１Ｒは、例えば、いずれも薄膜トランジスタ（ＴＦＴ；Ｔｈｉｎ  Ｆｉｌｍ  Ｔｒａｎｓｉｔｏｒ）である。スイッチ素子４１Ｌのソースまたはドレインのいずれか一方は左眼（第１視点）に対応する画像信号を供給する信号線４２Ｌと接続されており、スイッチ素子４１Ｌのゲートは、スイッチ素子４１Ｌにゲート電圧を供給するゲート線４３Ｌと接続されている。また、スイッチ素子４１Ｒのソースまたはドレインのいずれか一方は右眼（第２視点）に対応する画像信号を供給する信号線４２Ｒと接続されており、スイッチ素子４１Ｒのゲートは、スイッチ素子４１Ｒにゲート電圧を供給するゲート線４３Ｒと接続されている。例えば、信号線４２Ｌおよび信号線４２ＲはいずれもＸ軸方向に沿って配設され、ゲート線４３Ｒおよびゲート線４３ＬはＹ軸方向に沿って配設される。信号線４２およびゲート線４３はいずれも直線に限らず、屈曲部を有してもよい。スイッチ素子４１Ｒおよびスイッチ素子４１Ｌのソースまたはドレインの他方は、表示部２の第１電極２３と接続されている。第１電極２３に対して信号線４２Ｌ又は信号線４２Ｒのいずれか一方から供給される電荷と、第１電極２３に対向配置される第２電極２４に与えられる電荷に応じて、第１電極２３と第２電極２４の間に配置される液晶層２５に電界が生じ、各画素Ｐからの光の透過率が調整され、画像が表示される。
【００３７】
選択回路４０は、ゲート線４３Ｌとゲート線４３Ｒと接続されており、いずれか一方のゲート線を選択してゲート電圧を供給することで、スイッチ素子４１Ｌ又はスイッチ素子４１Ｒのいずれか一方のスイッチがＯＮとなり、信号線４２Ｌ又は信号線４２Ｒのいずれか一方の信号が第１電極２３を介して液晶層２５に印加される。つまり、表示制御部４は、画素に含まれる各視点に対応するスイッチ素子４１を切り替えることで、各視点に対応する画像を表示する隣接画素数を変更する。
【００３８】
選択回路４０は、例えば、ゲート駆動信号を供給するゲート駆動回路４０１と、各画素にいずれの視点に対応する画像を表示させるかを選択する選択信号を入力する選択信号入力回路４０２と、選択信号入力回路４０２から入力された選択信号を保持する選択信号保持回路４０３と、保持された選択信号とゲート駆動回路４０１から供給されたゲート駆動信号に基づいてゲート線４３Ｌとゲート線４３Ｒのいずれか一方のゲート線に供給する切換回路４０４を含む。
【００３９】
ゲート駆動回路４０１は、例えば、シフトレジスタであって、切換回路４０４と接続される。ゲート駆動回路４０１は、順次、ゲート駆動信号（Ｈ電圧）を切換回路４０４に供給する。また、選択信号入力回路４０２は、例えば、シフトレジスタであって、選択信号保持回路４０３と接続される。選択信号入力回路４０２は、選択信号保持回路４０３と対応する画素行がいずれの視点に対応する画像を表示させるかを選択する選択信号を選択信号保持回路４０３に供給する。さらに、選択信号保持回路４０３は、例えば、ラッチ回路であって、選択信号入力回路４０２と切換回路４０４と接続される。選択信号保持回路４０３は、選択信号入力回路からの選択信号を保持する。切換回路４０４は、例えば、２つのＡＮＤ回路と１つのインバータからなる回路であって、一方のＡＮＤ回路は、ゲート駆動回路４０１と、選択信号保持回路４０３とが入力端に接続され、ゲート線４３Ｌが出力端に接続されている。他方のＡＮＤ回路はゲート駆動回路４０１と、選択信号保持回路４０３とがインバータを介して入力端に接続されており、ゲート線４３Ｒが出力端に接続されている。なお、インバータは、ゲート線４３Ｌに接続されたＡＮＤ回路の入力端に接続される選択保持信号回路４０３との間に配置されてもよい。なお、選択回路４０を構成する各回路は一例であって、これに限られず、同一の機能を有する回路であれば異なる構成であってもよい。
【００４０】
（表示制御回路の動作）
図８は、各視点に対応する画像を表示する隣接画素数を１とした場合の表示制御部の動作を示すための説明図であり、図９は、各視点に対応する画像を表示する隣接画素数を２とした場合の表示制御部の動作を示すための説明図である。図８、図９を用いて表示制御部４の動作を以下に説明する。なお、同一の選択回路４０に接続されたゲート線で制御される画素行のうち、画素行Ｐｌから画素行Ｐｌ＋３を例として説明する。なお、例えば、ｌは１以上の自然数である。
【００４１】
視点に関する位置情報が第１の値を示す場合において、各視点に対応する画像を表示する隣接画素数を１とする選択信号が選択信号入力回路４０２に入力される。例えば、シフトレジスタを介して画素行Ｐｌと画素行Ｐｌ＋２に対応するＬ電位が供給され、画素行Ｐｌ＋１と画素行Ｐｌ＋３にはＨ電位が供給されるような選択信号が供給され、それぞれの接続された選択信号保持回路４０３に各電位が保持される。
【００４２】
続いて、ゲート駆動回路４０１に信号が印加され、シフトレジスタを介して順次切換回路４０４に駆動信号（Ｈ電位）が供給される。例えば、第１のタイミングにおいて、画素行Ｐｌに対応する切換回路４０４にゲート駆動回路４０１からＨ電位が供給される。一方で画素行Ｐｌに対応する切換回路４０４に接続される選択信号保持回路４０３にはＬ電位が保持されているため、ゲート線４３Ｒにゲート電圧が供給されることとなる。そのため、スイッチ素子４１Ｒが導通状態となり、信号線４２Ｒを介して右眼（第２視点）に対する画素信号が第１電極２３に供給される。続いて、第２のタイミングにおいて、画素行Ｐｌ＋１に対応する切換回路４０４にゲート駆動回路４０１からＨ電位が供給される。一方で、画素行Ｐｌ＋１に対応する切換回路４０４に接続される選択信号保持回路４０３にはＨ電位が保持されているため、ゲート線４３Ｌにゲート電圧が供給されることとなる。そのため、スイッチ素子４１Ｌが導通状態となり、信号線４２Ｌを介して左眼（第１視点）に対する画素信号が第１電極２３に供給される。第３のタイミングにおいて、画素行Ｐｌ＋２に対応する切換回路４０４にゲート駆動回路４０１からＨ電位が供給される。一方で、画素行Ｐｌ＋２に対応する切換回路４０４に接続される選択信号保持回路４０３にはＬ電位が保持されているため、ゲート線４３Ｒにゲート電圧が供給されることとなる。そのため、スイッチ素子４１Ｒが導通状態となり、信号線４２Ｒを介して右眼（第２視点）に対する画素信号が第１電極２３に供給される。第４のタイミングにおいて、画素行Ｐｌ＋３に対応する切換回路４０４にゲート駆動回路４０１からＨ電位供給される。一方で、画素行Ｐｌ＋３に対応する切換回路４０４に接続される選択信号保持回路４０３にはＨ電位が保持されているため、ゲート線４３Ｌにゲート電圧が供給されることとなる。そのため、スイッチ素子４１Ｌが導通状態となり、信号線４２Ｌを介して左眼（第１視点）に対する画素信号が第１電極２３に供給される。
【００４３】
表示制御部４はこのように動作することによって、画素行毎に異なる視点に対応する画素信号を供給することができる。つまり、透過領域３０１または非透過領域３０２を制御する第３電極３３の延在するＹ軸方向に交差するＸ軸方向において、隣接する同一視点に対応する画素の数である隣接画素数を１とすることができる。
【００４４】
続いて、視点に関する位置情報が第２の値を示す場合において、各視点に対応する画像を表示する隣接画素数を２とする選択信号が選択信号入力回路４０２に入力される。例えば、シフトレジスタを介して画素行Ｐｌと画素行Ｐｌ＋１に対応するＬ電位が供給され、画素行Ｐｌ＋２と画素行Ｐｌ＋３にはＨ電位が供給されるような選択信号が供給され、それぞれの接続された選択信号保持回路４０３に各電位が保持される。
【００４５】
続いて、ゲート駆動回路４０１に信号が印加され、シフトレジスタを介して順次切換回路４０４に駆動信号（Ｈ電位）が供給される。例えば、第１のタイミングにおいて、画素行Ｐｌに対応する切換回路４０４にゲート駆動回路４０１からＨ電位が供給される。一方で、画素行Ｐｌに対応する切換回路４０４に接続される選択信号保持回路４０３にはＬ電位が保持されているため、ゲート線４３Ｒにゲート電圧が供給されることとなる。そのため、スイッチ素子４１Ｒが導通状態となり、信号線４２Ｒを介して右眼（第２視点）に対する画素信号が第１電極２３に供給される。続いて、第２のタイミングにおいて、画素行Ｐｌ＋１に対応する切換回路４０４にゲート駆動回路４０１からＨ電位が供給される。一方で、画素行Ｐｌ＋１に対応する切換回路４０４に接続される選択信号保持回路４０３にはＬ電位が保持されているため、ゲート線４３Ｒにゲート電圧が供給されることとなる。そのため、スイッチ素子４１Ｒが導通状態となり、信号線４２Ｒを介して右眼（第２視点）に対する画素信号が第１電極２３に供給される。第３のタイミングにおいて、画素行Ｐｌ＋２に対応する切換回路４０４にゲート駆動回路４０１からＨ電位が供給される。一方で、画素行Ｐｌ＋２に対応する切換回路４０４に接続される選択信号保持回路４０３にはＨ電位が保持されているため、ゲート線４３Ｌにゲート電圧が供給されることとなる。そのため、スイッチ素子４１Ｌが導通状態となり、信号線４２Ｌを介して左眼（第１視点）に対する画素信号が第１電極２３に供給される。第４のタイミングにおいて、画素行Ｐｌ＋３に対応する切換回路４０４にゲート駆動回路４０１からＨ電位が供給される。一方で、画素行Ｐｌ＋３に対応する切換回路４０４に接続される選択信号保持回路４０３にはＨ電位が保持されているため、ゲート線４３Ｌにゲート電圧が供給されることとなる。そのため、スイッチ素子４１Ｌが導通状態となり、信号線４２Ｌを介して左眼（第１視点）に対する画素信号が第１電極２３に供給される。
【００４６】
表示制御部４は、このように動作することによって、２つの隣接する画素に同一の視点に対応する画素信号を供給することができる。つまり、透過領域３０１または非透過領域３０２を制御する第３電極３３の延在するＹ軸方向に交差するＸ軸方向において、隣接する同一視点に対応する画素の数である隣接画素数を２とすることができる。そのため、表示制御部４は、視差調整部３と視点との距離が第１の距離より短い第２の距離にある場合において、第１の距離において各視点に対応する画像を表示する隣接画素数より、第２の距離において各視点に対応する画像を表示する隣接画素数の方が多くすることができる。
【００４７】
なお、本実施形態において、隣接画素に同一の信号が供給してもよい。例えば、画素行Ｐｌと画素行Ｐｌ＋１、又は、画素行Ｐｌ＋２とＰｌ＋３に供給されるそれぞれの視点に対応する画素信号は同一の信号としてもよい。そこで、ゲート駆動回路４０１は、行毎に時分割で順次駆動信号を供給するのではなく、同一の視点に対応する複数のゲート線に対して同時に駆動信号を供給するようにしてもよい。例えば、隣接画素である画素行Ｐｌと画素行Ｐｌ＋１に含まれるスイッチ４１Ｌに対して、同時にゲート信号を供給するようにしてもよい。また、本回路によれば、表示制御部４は、３以上の隣接する画素行に対応する選択信号保持回路４０３に同一の電位を保持させることによって、同一の視点に対応する隣接画素数を３以上の数に変更することもできる。
【００４８】
（構成詳細：視差制御部）
図１０は、視点に関する位置情報が第１の値である場合の視差制御部の動作を示すための説明図あり、図１１は、視点に関する位置情報が第２の値である場合の視差制御部の動作を示すための説明図ある。図１０、図１１に基づき、本実施形態の表示装置１の視差制御部５の構成と動作の一例について説明する。
【００４９】
視差制御部５は、視差調整部３に含まれるＹ軸方向に延在しＸ軸方向に配列される第３電極３３に対して、透過領域３０１又は非透過領域３０２に対応する電荷を選択的に供給する選択回路５０を有する。なお、選択回路５０は、表示部２の画素が配置される表示領域ＤＡの外側の非表示領域ＦＡに対応する位置に配置される。選択回路５０は、例えば、第３電極３３に対する駆動信号を供給する駆動信号供給回路５０１を含む。駆動信号供給回路５０１は、例えば、シフトレジスタで構成される。また、選択回路５０は、駆動信号供給回路５０１から供給される信号を順次記憶して第３電極３３に同タイミングで供給する駆動信号保持回路５０２を有する。駆動信号保持回路５０２は、例えば、ラッチ回路である。なお、選択信号保持回路５０２は、複数のラッチ回路や駆動信号を一時的に蓄積するバッファを含んでもよい。
【００５０】
視点に関する位置情報が第１の値にある場合、各視点に対応する画像が表示される隣接画素は１である。そこで、視差制御部５は、それぞれの視点に対応する１つの画素からの光が透過領域３０１から視認されるように透過領域３０１を制御する。例えば、２つの第３電極３３に対応する領域に対して透過領域３０１とするため電荷を印加する。
【００５１】
また、視点に関する位置情報が第２の値にある場合、各視点に対応する画像が表示される隣接画素は２である。そこで、視差制御部５は、それぞれの視点に対応する２つの画素からの光が透過領域３０１から視認されるように透過領域３０１を制御する。例えば、３つの第３電極３３に対応する領域に対して透過領域３０１とするため電荷を印加する。
【００５２】
視差制御部５は、選択回路５０を有することによって透過領域３０１と非透過領域３０２の幅を変更することができる。そのため、視差制御部５は、視差調整部３と視点との距離が第１の距離より短い第２の距離にある場合において、前記第１の距離において各視点に対応する光を透過する透過領域３０１の幅より、前記第２の距離において各視点に対応する光を透過する透過領域３０１の幅を広くすることができる。
なお、本実施形態において、視点に関する位置情報が第１の値にある場合の透過領域３０１に対応する第３電極３３の数は３つとし、視点に関する位置情報が第２の値にある場合の透過領域３０１に対応する第３電極３３の数を４つとしたがこれに限られない。
【００５３】
以上のように、本実施形態にかかる表示装置１は、表示制御部４によって、視点に関する位置情報に基づいて、表示部２が各視点に対応した画像を表示する隣接画素数を変更することができ、視差制御部５によって、変更された各視点に対応した画像を表示する隣接画素数が各視点に視認されるように視差調整部３を制御することができる。そのため、視差調整部３と視点との距離が近づくことにより、視差調整部３と視点との距離が第１の距離より短い第２の距離に変更された場合において、第２の距離に近づくことで視認されてしまう隣接画素に対して、同一の視点に対応付けられる画素信号を印加することができる。これにより、第２の距離で視認される隣接画素に対して異なる視点に対応付けられる信号が印加されることで生じるクロストークが抑制できる。また、第１視点が左眼、第２視点が右眼とすると、立体視を表示する表示装置において、クロストークの発生を抑制した上で立体視が可能な前後方向の範囲を拡大することができる。
【００５４】
なお、表示制御部４の隣接画素数の変更と、視差制御部５の透過領域３０１と非透過領域３０２の切換は同タイミングで行う方が好ましい。なお、表示制御部４の動作と視差制御部５の動作の一方に遅延が生じる場合であっても、遅延が生じる方に合わせて、同タイミングで切換を行うことが好ましい。
【００５５】
本実施形態において、表示制御部４は、視点に関する位置情報に基づいて、各視点に対応する隣接画素数を変更する。例えば、視点に関する位置情報が第１の値を示す場合において、各視点に対応する隣接画素数を１として、視点と表示部２との距離が近づき、視点に関する位置情報が第２の値を示す場合において、各視点に対応する隣接画素数が２とする場合について示したが、これに限られない。表示制御部４は、視点に関する位置情報が第１の値を示す場合における隣接画素数に対して、視点に関する位置情報が第２の値を示す場合にける隣接画素数が多ければよい。例えば、視点に関する位置情報が第１の値を示す場合において表示制御部４によって設定される隣接画素数と２として、視点に関する位置情報が第２の値を示す場合において、各視点に対応する隣接画素数を４としてもよい。
さらに、本実施形態において、視点に関する位置情報が第１の値を示す場合と第２の値を示す場合において、表示制御部４が異なる隣接画素数を設定することを示したが、これに限られない。言い換えると、隣接画素数を変更する基準となる視点に関する位置情報が示す値を２種類以上設けてもよい。例えば、視点に関する位置情報が第２の値を示す場合に対して視点と視差調整部３との距離がさらに近づき、視点に関する位置情報が第３の値を示す場合において、視点に関する位置情報が第２の値を示す場合に表示制御部４に設定される隣接画素数より大きい数だけ、各視点に対応する隣接画素数の数（例えば、３つ）を設定するようにしてもよい。
【００５６】
また、本実施形態において、表示制御部４は、視点に関する位置情報に基づいて、各視点に対応する隣接画素を変更する。この隣接画素は、同一の視点に対応し、かつ、同一の色に対応する同一の画素信号が入力されてもよい。この場合、視点と視差調整部３との距離が変動し、隣接画素数が変動する場合、同一の画素信号が入力される画素の大きさが疑似的に変動することを意味する。また、全画素数は製造時に決定される固定値であり増加しないため、隣接画素数の変化に応じて、同一の画素信号が入力される画素を変化させる場合は、表示部２に表示することができる画像の解像度が変動することとなる。つまり、視点に関する位置情報の変動に応じて、表示される解像度が変化することとなる。
【００５７】
（変形例：隣接画素の配置パターン）
図１２は、同一視点が対応付けられた隣接画素の配置パターンの一例を示す説明図である。視点に関する位置情報が第１の値を示す場合において、表示制御部４が視点に対応する隣接画素を１つとし、視点に関する位置情報が第２の値を示す場合において、表示制御部４が視点に対応する隣接画素を２つとし、視点に関する位置情報が第３の値を示す場合において、表示制御部４が視点に対応する隣接画素を３つとする場合について説明する。
【００５８】
隣接する画素Ｐｌから画素Ｐｌ＋１１において、視点に関する位置情報が第１の値を示す場合において、各視点に対応する隣接画素数を１とすると、画素Ｐｌ、Ｐｌ＋２、Ｐｌ＋４、Ｐｌ＋６、Ｐｌ＋８、Ｐｌ＋１０の６つの画素には、左眼（第１視点）および同一の色が対応付けられる同一の画素信号が供給される。一方で、画素Ｐｌ＋１、Ｐｌ＋３、Ｐｌ＋５、Ｐｌ＋７、Ｐｌ＋９、Ｐｌ＋１１の６つの画素には、右目（第２視点）および同一の色（赤色）が対応付けられる同一の画素信号が供給される。また、視点に関する位置情報が第２の値を示す場合において、各視点に対応する隣接画素数を２とすると、画素Ｐｌ、Ｐｌ＋１、Ｐｌ＋４、Ｐｌ＋５、Ｐｌ＋８、Ｐｌ＋９の６つの画素には、左眼（第１視点）および同一の色が対応付けられる同一の画素信号が供給される。一方で、画素Ｐｌ＋２、Ｐｌ＋３、Ｐｌ＋６、Ｐｌ＋７、Ｐｌ＋１０、Ｐｌ＋１１の６つの画素には、右目（第２視点）および同一の色（赤色）が対応付けられる同一の画素信号が供給される。さらに、視点に関する位置情報が第３の値を示す場合において、各視点に対応する隣接画素数を３とすると、画素Ｐｌ、Ｐｌ＋１、Ｐｌ＋２、Ｐｌ＋６、Ｐｌ＋７、Ｐｌ＋８の６つの画素には、左眼（第１視点）および同一の色が対応付けられる同一の画素信号が供給される。一方で、画素Ｐｌ＋３、Ｐｌ＋４、Ｐｌ＋５、Ｐｌ＋９、Ｐｌ＋１０、Ｐｌ＋１１の６つの画素には、右目（第２視点）および同一の色（赤色）が対応付けられる同一の画素信号が供給される。なお、画素に対応付けられる色が赤色の場合に限らず、緑色および青色が対応付けられる画素も同様に６つの画素に同一の画素信号が供給される。
【００５９】
これにより、視点に関する位置情報が変動することによって、各視点に対応する隣接画素数が変動したとしても、同一の画素信号が供給される画素数は６で共通する。つまり、表示部２に表示される画像の解像度は変更されず、視点に対応する観察者に対して、解像度の変化による違和感を抑制することができる。
【００６０】
なお、同一の画素信号が供給される画素数はこれに限られず、視点の数をｋとして、視点に関する位置情報が第１の値を示す場合において各視点に対応する画像を表示する隣接画素数をａ（ａ≧１）として、視点に関する位置情報が第２の値を示す場合において各視点に対応する画像を表示する隣接画素数をｂ（ｂ＞ａ）とすると、ｋａとｋｂの最小公倍数Ｓに相当する数の連続して配置される画素において、Ｓ／ｋ個の画素に同一視点及び同一の色が対応付けられた同一の画素信号が供給するようにすればよい。なお、カラーフィルタ２６のように画素に対応する色が固定される場合、少なくともＳ個の画素に対応する位置のカラーフィルタ２６は同一の色が対応付けられる。
【００６１】
また、本実施形態において、視差制御部５は、視点に関する位置情報に基づいて、視差調整部３の透過領域３０１または非透過領域３０２の位置を変更する。視差調整部３は、表示制御部４によって変更された各視点に対応する隣接画素で形成される画素が各視点に振り分けられるように透過領域３０１または非透過領域３０２を変更する。視差制御部５は、一つの非透過領域３０２の中心から隣接する非透過領域３０２の中心までを１つの制御ユニットとして、制御ユニットを構成する第３電極３３の幅を変更することで、透過領域３０１または非透過領域３０２の位置及び幅を変更してもよいし、１つの制御ユニットの幅を変更せず、１つの制御ユニット内の非透過領域３０２または透過領域３０１の幅を変更してもよい。
【００６２】
（変形例１）
図１３は、視差調整部における透過領域と非透過領域の配置パターンの一例を示す説明図である。第３電極３３ｌから第３電極３３ｌ＋２３の２４個の第３電極に対応する領域において、視点に関する位置情報が第１の値を示す場合において、例えば、視点と視差調整部３との距離がＬ１である場合において、視差制御部５が２つの第３電極に対応する領域を透過領域３０１として、２つの第３電極に対応する領域を非透過領域３０２とする。それにより、第３電極３３ｌ＋２、３３ｌ＋３、３３ｌ＋６、３３ｌ＋７、３３ｌ＋１０、３３ｌ＋１１、３３ｌ＋１４、３３ｌ＋１５、３３ｌ＋１８、３３ｌ＋１９、３３ｌ＋２２、３３ｌ＋２３の１２個の第３電極に対応する領域が透過領域３０１となる。また、視点に関する位置情報が第２の値を示す場合において、例えば、視点と視差調整部３との距離がＬ２である場合において、視差制御部５が３つの第３電極に対応する領域を透過領域３０１として、３つの第３電極に対応する領域を非透過領域３０２とする。それにより、第３電極３３ｌ＋３、３３ｌ＋４、３３ｌ＋５、３３ｌ＋９、３３ｌ＋１０、３３ｌ＋１１、３３ｌ＋１５、３３ｌ＋１６、３３ｌ＋１７、３３ｌ＋２１、３３ｌ＋２２、３３ｌ＋２３の１２個の第３電極に対応する領域が透過領域３０１となる。また、視点に関する位置情報が第３の値を示す場合において、例えば、視点と視差調整部３との距離がＬ３である場合において、視差制御部５が４つの第３電極に対応する領域を透過領域３０１として、４つの第３電極に対応する領域を非透過領域３０２とする。それにより、第３電極３３ｌ＋４、３３ｌ＋５、３３ｌ＋６、３３ｌ＋７、３３ｌ＋１２、３３ｌ＋１３、３３ｌ＋１４、３３ｌ＋１５、３３ｌ＋２０、３３ｌ＋２１、３３ｌ＋２２、３３ｌ＋２３の１２個の第３電極に対応する領域が透過領域３０１となる。
【００６３】
このように、視点に関する位置情報が変動する場合において、視差制御部５が透過領域３０１に対応する第３領域の数が同一となるように制御することで、透過領域３０１の面積が同一となる。そのため、透過領域３０１を透過する光量の変化を抑制することができる。なお、透過領域３０１に対応する第３電極の数および非透過領域３０２に対応する第３電極の数はこれに限られず、視点に関する位置情報がいずれの値をとったとしても透過領域３０１に対応する第３電極３３の数と非透過領域３０２に対応する第３電極３３の数との比率が変動しないように制御すればよい。
【００６４】
（変形例２）
本実施形態において、表示制御部４は、画素内に視点数に応じたスイッチ素子を有している場合について示したが、これに限られない。図１４は、表示制御部を構成する回路の別例を示す模式図である。図１４において、画素内には一つスイッチ素子４１を有する。スイッチ素子４１は薄膜トランジスタであって、トランジスタのノードまたはドレインは一つの信号線４２と接続され、トランジスタのゲートとは一つのゲート線４３と接続されている。さらに、表示領域ＤＡの外側の領域には、選択回路４００が配設される。選択回路４００は、各画素列に対応する信号線に対して、左眼（第１視点）用の画素信号を供給する第１視点信号供給線４４Ｌと、右眼（第２視点）用の画素信号を供給する第２視点信号供給線４４Ｒとの接続のいずれかを切り換える切換回路４０７を有する。また、トランジスタに接続されるゲート線４３は、駆動信号供給回路４０６を有し、駆動信号供給回路４０６は例えばシフトレジスタであり、ゲート線４３に対して順次信号を印加して、切換回路４０７に選択された第１視点信号供給線４４Ｌ又は第２視点信号供給線４４Ｒのいずれかからの信号を画素に供給する。これにより、画素内に配設されるスイッチ素子、信号線、および、ゲート線の数を削減することができ、各画素の開口率を増加させることができる。
【００６５】
また、表示制御部４は、非表示領域ＦＡにおいて、第１視点信号供給線４４Ｌと第２視点信号供給線４４Ｒのように各視点に対応する信号供給線を有する場合について説明したがこれに限らない。つまり、各視点に対応する信号供給線を有し、それぞれの視点に対応する画像に基づく画素信号を供給するのではなく、各視点に対応する画像を生成し、各視点に対応する画素の配置パターンに応じた合成画像を生成し、当該合成画像に応じた画素信号を供給するようにすることで、信号供給線を一つとするようにしてもよい。
【００６６】
（変形例３）
本実施形態において、視差調整部３の透過領域３０１または非透過領域３０２は、少なくともＸ軸方向において均一な幅で形成される場合について説明したがこれに限られない。図１５は、視点と視差調整部３との距離に変動があった場合の非透過領域３０２に対応する画素の領域の変化を示す説明図であり、図１６は、視差調整部３の制御ユニットの幅の変更例の一例を示す説明図である。図１５、図１６を用いて、視差制御部５が視点に関する位置情報に応じて、視差調整部３の一部の透過領域３０１または一部の非透過領域３０２の少なくとも一方の幅を変更する場合について以下に説明する。ここで、視差調整部３の制御ユニットとは、例えば、連続する非透過領域３０２の中心から次に連続する非透過領域３０２の中心までに含まれる領域を示し、制御ユニットは同数の第３電極３３に対応する領域である。また、制御ユニットは、制御ユニットごとに同一の位置及び数で同様の電荷が印加され、透過領域３０１または非透過領域３０２となるように制御される。
【００６７】
まず、視差調整部３の制御ユニットが２つの透過領域３０１と２つの非透過領域３０２で構成され、制御ユニットの幅がＷ１である場合において、第１視点ＯＰＬ（左眼）と視差調整部３との距離が所定の基準距離Ｄである場合、所定の非透過領域３０２によって制限される画素上の領域は、第２視点（右眼）に対応する画素Ｐに対応する領域となり、異なる視点に対応する画素からの光が適切に制限される。ここで、所定の基準距離Ｄは適視距離を示す。
【００６８】
続いて、第１視点ＯＰＬ（左眼）と視差調整部３との距離が基準距離Ｄに対してｄ１だけ近づき、第１視点ＯＰＬ（左眼）と視差調整部３との距離がＤ−ｄ１となった場合において、透過領域３０１の幅Ｗ１を変更しない場合、視点と視差調整部３との距離に応じて、所定の非透過領域３０２によって制限される画素上の領域が変動する。    
例えば、所定の非透過領域３０２によって制限される画素上の領域は、基準距離Ｄにおける位置に対して、第１視点ＯＰＬ（左眼）を通る視差調整部３の表面が形成する平面に対する垂線ＰＬに対して離れる方向に変動する。
【００６９】
また、第１視点ＯＰＬ（左眼）と視差調整部３との距離が基準距離Ｄに対してｄ２だけ遠のき、第１視点ＯＰＬ（左眼）と視差調整部３との距離がＤ＋ｄ２となった場合において、透過領域３０１の幅を変更しない場合、視点と視差調整部３との距離に応じて所定の非透過領域３０２によって制限される画素上の領域が変動する。
例えば、所定の非透過領域３０２によって制限される画素上の領域は、基準距離Ｄにおける位置に対して、第１視点ＯＰＬ（左眼）を通る視差調整部３の表面が形成する平面に対する垂線ＰＬに対して近づく方向に変動する。
【００７０】
ここで、第１視点（左眼）と視差調整部３との距離が基準距離Ｄに対して変動するほど、非透過領域３０２によって制限される画素上の領域の変動量も増加する。そのため、第１視点（左眼）と視差調整部３との距離が基準距離Ｄに対して大きく変動することで、非透過領域３０２によって制限される画素上の領域が第１視点（左眼）に対応付けられた画素からの光を制限するような位置に変化する恐れがある。言い換えると、第１視点（左眼）と視差調整部３との距離が基準距離Ｄに対して大きく変動することで、透過領域３０１によって透過される画素上の領域が第２視点（右眼）に対応付けられた画素からの光を透過するような位置に変化する恐れがある。
【００７１】
そこで、図１６に示すように、第１視点ＯＰＬと視差調整部３が近づき、第１視点ＯＰＬと視差調整部３との距離がＤ−ｄ１となった場合、視差制御部５は、一部の制御ユニットの幅をＷ１からＷ１より小さいＷ２に変更する。例えば、一部の制御ユニットを４つの第３電極３３ではなく、一つ減らした３つの第３電極３３によって制御する領域に変更する。これにより、第３電極３３の数を変更された制御ユニットにおいては、透過領域３０１または非透過領域３０２のいずれかが小さくなるため、透過率に変動が生じるが、非透過領域３０２によって制限される画素上の領域の位置を適切な位置に移動させることができる。
【００７２】
より具体的には、各視点に対応する画素の幅をｐ、第１視点（左眼）と第２視点（右眼）の幅をＥとすると、下記の式（１）によって基準距離Ｄにおける適切な制御ユニットの幅Ｘ１が求められる。
なお、第１視点が左眼、第２視点が右眼の場合は、Ｅは眼間距離を示し、例えば、６５ｍｍである。また、所定の基準距離Ｄにおいて、非透過領域３０２によって異なる視点（第２視点）に対応する画素からの光を制限することができるとしているため、Ｗを第３電極３３の一本分に対応する幅とするとＸ１は、ｎＷと略同一である。
【００７３】
Ｘ１＝２ｐＥ／（ｐ＋Ｅ）≒ｎＷ  ・・・（１）
【００７４】
また、視点と視差調整部３との距離が基準距離Ｄからｄ１だけ近づいた距離Ｄ−ｄ１における適切な制御ユニットの幅Ｘ２は、下記の式（２）で求められる。
【００７５】
Ｘ２＝２ｐＥ／（ｐＤ／（Ｄ−ｄ１）＋Ｅ）  ・・・（２）
【００７６】
続いて、距離Ｄ−ｄ１における適切な制御ユニットの幅Ｘ２に対するずれの累積Ｘａは式（３）で求められる。制御ユニットの幅Ｘ２に対するずれの累積Ｘａとは、視点と視差調整部３との距離が基準距離Ｄに位置する場合の制御ユニットの幅Ｘ１と、距離ｄ１だけ近づいたときの制御ユニットの幅Ｘ２との差分（Ｘ２−Ｘ１）に、制御ユニットの個数Ｂ（透過領域３０１の個数）を乗じた値である。
【００７７】
Ｘａ＝（Ｘ２−Ｘ１）×Ｂ  ・・・（３）
【００７８】
制御ユニットの幅Ｘ２に対するずれの累積Ｘａと、第３電極３３の１本分に対応する幅との比較を行う。次の式（４）を満たす最大のｎ１（但し、ｎ１＝１、２、・・・、Ｎ）を算出する。なお、Ｗは、第３電極３３の１本分に対応する幅である。
【００７９】
Ｘａ＞ｎ１×Ｗ  ・・・（４）
【００８０】
ｎ１＝１の場合、すなわち、制御ユニットの幅Ｘ２に対するずれの累積Ｘａが、１本分の第３電極３３の幅Ｗより大きい値となった場合、図１６に示すように、視差制御部５は、視差調整部３に含まれる一部の制御ユニットの幅を短くする。具体的には、透過領域３０１の幅を１本分の第３電極３３の幅に対応する分だけ短くして、短くした分だけ隣接画素をシフトさせる。なお、この場合、端部に制御ユニットから外れた領域が生じるが、この端部の領域は表示領域外の配線等が斜めから視認されることのないように非透過領域３０２とすることが望ましい。
【００８１】
なお、ｎ１が２以上の値をとった場合も同様に、一部の制御ユニットの幅をｎ１が示す数値の分だけ短くする。なお、ｎ１が２以上の場合に一つの制御ユニットの幅を第３電極３３の２本以上の数分だけ短くしてもよいが、第３電極３３の１本分短くした制御ユニットを複数配置してもよい。一部の制御ユニットの幅を変動するということは透過領域３０１又は非透過領域３０２の幅を短くするということであるため、周囲の幅を変動していない制御ユニットと比較すると透過率が変動することとなり、一つのユニットで第３電極３３の複数本分変動させるということはその分透過率の変動も大きくなる。そのため、複数の制御ブロックで変動を分散化することで透過率の変化が視認されることを抑制することができる。同様に、複数の幅が変動した制御ブロックを配置する場合は、透過率の変化が視認されにくいようにＸ軸方向において均等に配置されてもよい。例えば、バリア部６の中央部を挟んで対称となるように、複数の幅が変動された制御ブロックが配置される。
【００８２】
また、図１６に示すように、第１視点ＯＰＬと視差調整部３が遠のき、第１視点ＯＰＬと視差調整部３との距離がＤ＋ｄ２となった場合、一部の視差調整部３の制御ユニットの幅をＷ１からＷ１より大きいＷ３に変更する。例えば、一部の制御ユニットを４つの第３電極３３ではなく、一つ増やした５つの第３電極３３によって制御する領域に変更する。これにより、第３電極３３の数を変更された制御ユニットにおいては、透過領域３０１または非透過領域３０２のいずれかが大きくなるため、透過率に変動が生じるが、非透過領域３０２によって制限される画素上の領域の位置を適切な位置に移動させることができる。
【００８３】
視点と視差調整部３との距離が基準距離Ｄからｄ２だけ遠のいた距離Ｄ＋ｄ２における適切な制御ユニットの幅Ｘ３は、下記の式（５）で求められる。
【００８４】
Ｘ３＝２ｐＥ／（ｐＤ／（Ｄ＋ｄ２）＋Ｅ）  ・・・（５）
【００８５】
続いて、距離Ｄ＋ｄ２における制御ユニットの幅Ｘ３に対するずれの累積Ｘｂは式（３）で求められる。制御ユニットの幅Ｘ３に対するずれの累積Ｘｂとは、視点と視差調整部３との距離が基準距離Ｄに位置する場合の制御ユニットの幅Ｘ１と、距離ｄ２だけ遠のいたときの制御ユニットの幅Ｘ３との差分（Ｘ１−Ｘ３）に、制御ユニットの個数Ｂ（透過領域３０１の個数）を乗じた値である。
【００８６】
Ｘｂ＝（Ｘ１−Ｘ３）×Ｂ  ・・・（６）
【００８７】
制御ユニットの幅Ｘ３に対するずれの累積Ｘｂと、第３電極３３の１本分に対応する幅との比較を行う。次の式（７）を満たす最大のｎ２（但し、ｎ１＝１、２、・・・、Ｎ）を算出する。
【００８８】
Ｘｂ＞ｎ２×Ｗ  ・・・（７）
【００８９】
ｎ２＝１の場合、すなわち、制御ユニットの幅Ｘ３に対するずれの累積Ｘｂが、１本分の第３電極３３の幅Ｗより大きい値となった場合、図１６に示すように、視差制御部５は、視差調整部３に含まれる一部の制御ユニットの幅を長くする。具体的には、透過領域３０１の幅を１本分の第３電極３３の幅に対応する分だけ長くして、長くした分だけ隣接画素をシフトさせる。なお、この場合、端部に制御ユニットから外れた領域が生じるが、この端部の領域の内、少なくとも最端部の領域は、表示領域外の配線等が斜めから視認されることがないように非透過領域３０２とすることが望ましい。
【００９０】
なお、ｎ２が２以上の値をとった場合も同様に、一部の制御ユニットの幅をｎ２が示す数値の分だけ長くする。なお、ｎ２が２以上の場合に一つの制御ユニットの幅を第３電極３３の２本以上の数分だけ長くしてもよいが、第３電極３３の１本分長くした制御ユニットを複数配置してもよい。一部の制御ユニットの幅を変動するということは透過領域３０１又は非透過領域３０２の幅を長くするということであるため、周囲の幅を変動していない制御ユニットと比較すると透過率が変動することとなり、一つのユニットで第３電極３３の複数本分変動させるということはその分透過率の変動も大きくなる。そのため、複数の制御ブロックで変動を分散化することで透過率の変化が視認されることを抑制することができる。同様に、複数の幅が変動した制御ブロックを配置する場合は、透過率の変化が視認されにくいようにＸ軸方向において均等に配置されてもよい。例えば、バリア部の中央部を挟んで対称となるように、複数の幅が変動された制御ブロックが配置される。
【００９１】
以上の通り、視点と視差調整部３との距離に応じて、一部の透過領域３０１または非透過領域３０２の幅を変更することで、視点が視差調整部３に対して前後方向に動くことによって生じる視差調整部３の制御ユニットの適切な幅の変化に沿って視差調整部３の制御ユニットの位置を調整することができる。これにより、異なる視点に対応する画素からの光を非透過領域３０２によって適切に制限することができ、異なる視点に対応する画素からの光が視認されることによってクロストークが生じるのを抑制することができる。なお、視差制御部５が、視点と視差調整部３との距離に基づいて一部の透過領域３０１または非透過領域３０２の幅を変更することを説明したが、変更の条件はこれに限られない。視点に関する位置情報に基づいて変更してもよい。例えば、視点と視差調整部３との距離が近づくにつれて、視点と透過領域３０１の中心がなす角が大きくなる。このように視点と透過領域３０１の中心がなる角度に基づいて一部の透過領域３０１または非透過領域３０２の幅を変更することができる。
【００９２】
また、式（１）から式（７）までの式で示す通り、適切な制御ユニットの幅は、各視点に対応する画素の幅ｐと、所定の基準距離Ｄによって定まる値である。言い換えると、所定の基準距離Ｄは、各視点に対応する画素の幅ｐと制御ユニットの幅Ｘ１に依存する。
本実施形態において、視点に関する位置情報に基づいて、表示部２の各視点に対応する隣接画素数および視差調整部３の透過領域３０１または非透過領域３０２の幅も変動する。例えば、隣接画素数が変動するということは各視点に対応する画素の幅ｐが変動するということであり、それに伴い制御ユニット幅Ｘ１および基準距離Ｄも変動する。
したがって、本実施形態における表示制御部４および視差制御部５は、例えば、視点に関する位置情報がいずれの隣接画素数および制御ユニットの幅Ｘ１をとる値であるかを判定し、続いて、視点に関する位置情報に基づいて決定された隣接画素数および制御ユニットの幅Ｘ１に基づく基準距離Ｄと視点との距離に応じて、一部の透過領域３０１または非透過領域３０２の幅を変動させる。これにより、より適切に異なる視点に対応する画素からの光の透過を抑制することができる。
【００９３】
（電子機器）
本実施形態において、本発明が適用される表示装置について説明したが、本発明の適用対象は表示装置に限らず、テレビジョン装置、デジタルカメラ、ノート型パーソナルコンピュータ、携帯電話等の携帯端末装置、あるいは、車載用のディスプレイユニットなどのあらゆる分野の電子機器に適用することが可能である。以下に本発明が適用される電子機器の一例について示す。
【００９４】
図１７は、本発明が適用された電子機器の機能構成の一例を示すブロック図である。本発明が適用された電子機器１０は、表示装置１と同様に、複数の視点に対応する画像を表示する表示部２と、各視点に対応する画素からの光を各視点に振り分ける視差調整部３とを有し、それに加えて、視点に関する位置情報を取得する位置情報取得部７と、取得された位置情報に基づいて表示制御部４または視差制御部５のすくなくともいずれかを制御する制御部８を有する。表示部２は光を照射する照明部６を有してもよい。視差調整部３は、表示部２からの光を振り分ける光を透過する複数の透過領域３０１と、光を制限する複数の非透過領域３０２とが切り替え可能に設けられていてもよい。なお、同一の符号が付された要素については、詳細な説明を省略する。
【００９５】
位置情報取得部７は撮像部９を含み、撮像部９は、視点に対応する観察者の画像を撮像する。撮像部９は、例えば、デジタルカメラが用いられる。位置情報取得部７は、撮像部９によって撮像された画像に基づき、視点に関する位置情報を取得する。なお、位置情報取得部７が視点に関する位置情報を取得する方法はこれに限られず、例えば、撮像部９、赤外線センサ等の温度センサ、マイク等の音声センサ、光学センサ等の位置情報を取得することができるセンサのいずれか又は複数を用いて視点に関する位置情報を取得してもよい。
【００９６】
制御部８は、位置情報取得部７によって取得された視点に関する位置情報に基づいて、表示制御部４、または、視差制御部５の少なくともいずれかを制御する信号を付与する。
例えば、制御部８は、視点に関する位置情報に基づいて、隣接画素数を決定する。以下に、視点に関する位置情報に基づいて、隣接画素数を３段階で変更する場合について説明する。まず、視点に関する位置情報が視点と視差調整部３との距離を示す場合において、視点と視差調整部３との距離が所定の第１閾値より大きい値を示す場合、視点に関する情報が第１の値を示すとして、視点に対応する隣接画素数を第１隣接画素数（例えば、１）と判定する。また、視点と視差調整部３との距離が所定の第１閾値以下で第２閾値より大きい場合、視点に関する情報が第２の値を示す判定して、視点に対応する隣接画素数を第２隣接画素数（例えば、２）と判定する。さらに、視点と視差調整部３との距離が所定の第２閾値以下である場合、視点に関する情報が第３の値を示すと判定して、視点に対応する隣接画素数を第３隣接画素数（例えば、３）と判定する。制御部８は、判定された隣接画素数に応じた視差調整部３の透過領域３０１又は非透過領域３０２に対応するに第３電極３３の数および位置を判定し、判定結果に基づき、視差制御部５に対して第３電極３３の駆動信号を供給する。
また、制御部８は、判定された隣接画素数に応じて、各視点に対応する画素の数および位置を判定し、判定結果に基づき、表示制御部４に対して各画素がいずれの視点に対応する画像を表示するかの選択信号を供給する。なお、表示制御部４を構成する選択回路４０は、供給された選択信号に基づいて、各画素に対応付けられた視点に応じた信号を各画素に供給する。
【００９７】
位置情報取得部７における撮像された画像に基づく視点に関する位置情報の演算や制御部８における表示制御部４または視差制御部５に対する信号の生成は、例えば、表示部２または視差調整部３とは異なる第５基板上に形成された演算装置であるＣＰＵ（Ｃｅｎｔｒａｌ  Ｐｒｏｃｅｓｓｉｎｇ  Ｕｎｉｔ）と、記憶装置であるメモリとによって実施される。また、制御部８から表示制御部４または視差制御部５に対して供給される信号は、表示部２に配置された第１配線基板２１０または視差調整部３に配置された第２配線基板３１０（図６参照）を介して供給される。第１配線基板２１０および第２配線基板は、例えば、フレキシブルプリント基板（Ｆｌｅｘｉｂｌｅ  ｐｒｉｎｔｅｄ  ｃｉｒｃｕｉｔｓ：ＦＰＣ）を用いてもよい。
【００９８】
なお、位置情報取得部７または制御部８の機能の一部または全部は、表示部２の第１基板２１若しくは第１配線基板２１０上に形成された第１集積回路（Ｉｎｔｅｇｒａｔｅｄ  Ｃｉｒｃｕｉｔ：ＩＣ）または視差調整部３の第３基板３１もしくは第２配線基板３１０上に形成された第２集積回路で実施されてもよい。例えば、第５基板上で生成した視点に関する位置情報を第１配線基板および第２配線基板を介して第１集積回路および第２集積回路に供給される。続いて、第１集積回路では受け取った視点に関する位置情報に基づいて隣接画素数を判定し、各画素がいずれの視点に対応する画像を表示するかの選択信号を表示制御部４に供給し、第２集積回路では受け取った視点に関する位置情報に基づいて隣接画素数を判定し、第３電極３３の駆動信号を視差制御部５に供給する。なお、第１集積回路および第２集積回路を有する場合について示したが、これに限られず、一方の集積回路のみを形成してもよい。例えば、第１集積回路のみを配設し、第２配線基板３１０を第１基板２１または第１配線基板２１０と接続して、第１集積回路で視点に関する視差情報に基づいて第３電極３３の駆動信号を生成し、第２配線基板を介して供給してもよい。
【００９９】
（制御方法）
続いて、図１５、図１６を用いて説明したように、視点に関する位置情報に基づいて、各視点に対応する隣接画素数を変更するとともに、一部の透過領域３０１又は一部の非透過領域３０２の幅を変更する場合について説明する。図１８は、本発明が適用された電子機器で行われる制御方法の一例を示すフローチャートである。
【０１００】
まず、位置情報取得部７が視点に関する位置情報を取得する（Ｓ１）。例えば、位置情報取得部７に含まれる撮像部９によって撮像された画像に基づいて、視点に関する位置情報として視点と視差調整部３との距離を取得する。
【０１０１】
続いて、取得された位置情報に基づいて、制御部８が、各視点に対応する隣接画素数、および、視差調整部３の制御ユニットの幅を判定する（Ｓ２）。例えば、制御部８は、視点と視差調整部３との距離が所定の第１閾値より大きい値を示す場合、視点に関する情報が第１の値を示すとして、視点に対応する隣接画素数を第１隣接画素数（例えば、１）と判定する。視点と視差調整部３との距離が所定の第１閾値以下である場合、視点に関する情報が第２の値を示す判定して、視点に対応する隣接画素数を第２隣接画素数（例えば、２）と判定する。
また、視点と視差調整部３との距離が所定の第１閾値より大きい値を示す場合、視点に関する情報が第１の値を示すと判定して、視差調整部３の制御ユニットを第３電極３３の４つ分に対応する領域と判定する。言い換えると、制御部８は、制御ユニットの幅を第３電極３３の４つ分の幅に対応すると判定する。視点と視差調整部３との距離が所定の第１閾値以下である場合、視点に関する情報が第２の値を示す判定して、視差調整部３の制御ユニットを第３電極３３の６つ分に対応する領域と判定する。言い換えると制御部８は、制御ユニットの幅を第３電極３３の６つ分の幅に対応すると判定する。
【０１０２】
さらに、制御部８は、判定された隣接画素数に対応する画素の幅に基づき、基準距離を演算する（Ｓ３）。例えば、制御部８は、判定された隣接画素数の幅をｐ、表示部２と視差調整部３との距離をＧ、眼間距離をＥとした場合、基準距離Ｄは、下記の式（８）から求められる。
【０１０３】
Ｄ＝ＥＧ／Ｐ    ・・・（８）
【０１０４】
制御部８は、視点に関する位置情報と、算出された基準距離Ｄとに基づき、幅を変更する制御ユニットの数および位置を判定する(Ｓ４)。例えば、制御部８は、位置情報取得部７によって取得された位置情報と、制御部８によって演算された基準距離Ｄに基づき、取得された視点と視差調整部３との距離と基準距離Ｄとの差に基づいて、式（２）から式（４）若しくは式（５）から式（７）に基づいて、制御ユニットの幅を変動する数および位置を判定する。
【０１０５】
最後に、表示制御部４および視差制御部５は、判定結果に基づき、制御ユニットの幅および隣接画素数を変更する（Ｓ５）。例えば、表示制御部４はＳ２で判定された各視点に対応する隣接画素数となるように表示部２を制御し、視差制御部５はＳ４で判定された幅の異なる制御ユニットの数および位置と、Ｓ２で判定された制御ユニットの幅に基づいて、透過領域３０１および非透過領域３０２の位置を変更する。
【０１０６】
なお、上記フローチャートでは、位置情報取得手段７および制御部８を有する電子機器で実施される場合について例示したが、これに限られない。本発明が適用された表示装置１において、外部から位置情報を取得し（Ｓ１）、表示制御部４または視差制御部５において、視点に関する位置情報に基づいて、透過領域３０１と非透過領域３０２の位置を変更し、各視点に対応する画像を表示する隣接画素数を変更してもよい(Ｓ２〜Ｓ５)。
【０１０７】
また、Ｓ３において基準距離について式（８）を用いて演算して求めることとしたが、これに限られない。あらかじめ設定可能な隣接画素数および制御ユニットの幅に基づいて演算し、視点に関する位置情報と対応付けられた数値をテーブルデータとして、表示制御部４、視差制御部５、制御部８の少なくともいずれかに含まれるメモリに格納しておいてもよい。
さらに、Ｓ４において幅を変更する制御ユニットの数および位置について、式（２）〜（４）又は式（５）〜（７）を用いて演算して求めることとしたが、これに限られない。あらかじめ設定可能な隣接画素数、制御ユニット幅、および、基準距離に基づいて演算し、視点に関する位置情報と対応付けられた数値をテーブルデータとして制御部に含まれるメモリに格納しておいてもよい。なお、Ｓ４の処理については省略し、一部の制御ユニットの幅のみを変更しないものとして、Ｓ５の処理を実行してもよい。
図１９はメモリに格納されるテーブルデータの一例を示す図である。このようなテーブルデータを表示制御部４、視差制御部５、制御部８の少なくともいずれかのメモリに格納することによって、いずれかの制御部は、メモリからデータテーブルを読み出し、Ｓ１で取得された視点と視差制御部５との距離Ｌが１列目に示されるデータ範囲のいずれに含まれるかを判定することで、隣接画素数、制御ユニットに対応する電極数、幅を変更する制御ユニットの数および位置を判定することができ、Ｓ２からＳ４の処理を省略もしくは簡易化することができる。
【０１０８】
本実施形態において、表示装置１の表示部２として透過型の液晶表示装置を示したが、これに限定されず、たとえば、画素電極または共通電極を光を反射する部材で形成するなど、外光を反射させる反射層を設けた反射型の液晶表示装置や、透過型の液晶表示装置と反射型の液晶表示装置を組み合わせた半透過型の液晶表示装置であってもよい。また、液晶表示装置に限らず、例えば、有機エレクトロルミネッセンス（Ｏｒｇａｎｉｃ  Ｅｌｅｃｔｒｏ−Ｌｕｍｉｎｅｓｃｅｎｃｅ：ＯＥＬ）ディスプレイ、ＭＥＭＳ（Ｍｉｃｒｏ  Ｅｌｅｃｔｒｏ  Ｍｅｃｈａｎｉｃａｌ  Ｓｙｓｔｅｍ）などとしてもよい。
表示部２が反射型の液晶表示装置やＯＥＬのような自発光素子を用いた表示装置である場合は、照明部６や偏光板を有さなくてもよい。また、表示部２が反射型の液晶表示装置のような反射層を有する表示装置である場合、照明部６を反射層より表示面側（観察者側）に配置するフロントライトとして用いて、照明部６からの光を反射させることにより画像を表示させるようにしてもよい。
【０１０９】
また、本実施形態において、視差調整部３は、表示部２の表面側に配置されているが、これに限られず、表示パネル２０と照明部６の間に配置されてもよい。このように配置することで、視差調整部３において、照明部６からの光を透過領域３０１で透過させ、照明部６からの光を非透過領域３０２で制限し、各表示部２の画素に透過する光を調整することができる。これにより、本実施形態と同様に、視差調整部３は、各視点に対応する画素からの光を各視点に振り分けることができる。
【０１１０】
本実施形態において、表示部２の表示機能層２００を構成する第１電極２３と第２電極２４は、第１電極２３、絶縁層、第２電極２４の順で積層されるように配置されるが、これに限られない。第１電極２３と第２電極２４は同一層に絶縁層を介して配置されてもよい。また、表示部２は透過型の液晶表示装置であって、第１基板２１又は第２基板２２の一方に第１電極２３と第２電極２４の両方が形成される横電界モードの液晶表示装置であることが示されているが、これに限らず、第１基板２１と第２基板２２のいずれか一方に第１電極２３が配置され、他方に第２電極２４が配置される縦電界モードの液晶表示装置であってもよい。
【０１１１】
さらに、本実施形態において、第２電極２４は、複数の第１電極２３と対向するような板状の電極としたがこれに限られない。第２電極２４は表示領域内にスリットを有さず、全ての第１電極２３と対向するような単一の電極であってもよいし、Ｘ方向又はＹ方向のいずれか一方に所定の間隔でスリットが形成されたストライプ形状の電極であってもよいし、Ｘ方向及びＹ方向の両方にスリットが形成され、ブロック状の電極がマトリクス状に配置された電極であってもよい。また、本実施形態において、第４電極３４は、複数の第３電極３３と対向するような板状の電極としたがこれに限られない。第４電極３４は表示領域内にスリットを有さず、全ての第３電極３３と対向するような単一の電極であってもよいし、Ｘ方向又はＹ方向のいずれか一方に所定の間隔でスリットが形成されたストライプ形状の電極であってもよいし、Ｘ方向及びＹ方向の両方にスリットが形成され、ブロック状の電極がマトリクス状に配置された電極であってもよい。
【０１１２】
本実施形態において、画素に対応付けられる色は、赤色、緑色、青色の３色としたが、これに限られない。白色を含む他の色の組み合わせであってもよく、４色以上の異なる色を含んでもよい。なお、カラーフィルタ２６を用いて色を対応付ける場合、各色に着色したカラーフィルタとは別に、カラーフィルタを配置しない、若しくは、着色しないカラーフィルタを用いることで白色を対応付けてもよい。さらに、表示装置１は、カラーフィルタ２６が配置されるカラー表示対応の表示装置に限定されず、カラーフィルタを除いたモノクロ表示対応の表示装置にも適用できる。
【０１１３】
本実施形態において、表示部２は、透過領域３０１が連続して形成されるＹ軸方向において、画素に対応付けられる色が同色となるように配置するとしたが、これに限られない。図２０は表示部に対応付けられる色の配置パターンの別例を示す図である。視差調整部３は透過領域３０１がＹ軸方向に延在し、透過領域３０１と非透過領域３０２がＸ軸方向に交互に配列され、表示部２はＸ軸方向だけではなく、Ｙ軸方向においても異なる色に対応する画素が周期的に配置される。このように透過領域３０１が連続して形成されるＹ軸上に配置される画素に対応付けられる色が周期的に変化するように配列されることにより、Ｙ軸上に同一の色に対応する画素が配置される場合に比べて、隣接画素を透過する光が視認される場合であっても、同一の色が対応付けられる画素が一直線上に現れ、視認されることを抑制することができる。なお、一例として、Ｙ軸方向に連続して配設される同一色に対応する画素の周期を２としたが、これに限られず、１以上の画素に対応する周期であって少なくともＹ軸方向に異なる色に対応する画素が配置されればよい。
【０１１４】
また、本実施形態において、列状の第３電極３３が第３基板３１上に形成され、第３電極３３に対向する第４電極３４が第４基板３２上に配置されるが、第３電極３３および第４電極３４の形成位置はこれに限られない。第３基板３１または第４基板３２のいずれか一方に、第３電極３３と第４電極３４の両方が絶縁層を介して配置される横電界モードの電極配置でもよいし、第３電極３３と第４電極３４のいずれか一方が第３基板３１に配置され、他方が第４基板３２上に配置される縦電界モードの電極配置でもよい。なお、第３電極３３の幅が一定である場合について説明したが、第３電極３３の幅は一部で変更されていてもよい。
【０１１５】
また、本実施形態において、透過領域３０１と非透領域過３０２は、Ｙ軸方向に延在し、Ｘ軸方向に配列される矩形の領域を示していたが、これに限られず、透過領域３０１と非透過領域３０２が交互に形成されるように配置されていればよい。例えば、透過領域３０１はＹ軸方向またはＸ軸方向に対して一定の角度を有する斜め方向に延在してもよい。さらに、斜め方向に透過領域３０１を形成する場合において、画素の形状に沿うように階段状に領域を形成してもよい。また、斜め方向に透過領域３０１を形成する場合、第３電極を透過領域３０１に沿って、Ｙ軸方向またはＸ軸方向に対して一定の角度を有する斜め方向に延在するように形成してもよい。さらに、画素の形状に沿うように階段状に透過領域３０１を形成する場合、第３電極も同様に階段状に形成してもよい。
【０１１６】
図２１は、斜め方向に透過領域３０１を形成する場合の一例を示す図である。視差調整部３は透過領域３０１と非透過領域３０２がＸ軸方向およびＹ軸方向のいずれに対しても周期的に配列されており、透過領域３０１の中心軸がＹ軸に対して斜め方向になるように配列され、表示部２はＹ軸方向に同一の色が対応付けられた画素が連続して配置され、Ｘ軸方向に異なる色が対応付けられた画素が周期的に配置される。なお、このように透過領域３０１を画素の配列方向と異なる方向に沿って形成すると、Ｘ軸方向またはＹ軸方向のいずれかに沿って同一色が対応付けられた画素を連続して配置したとしても、Ｘ軸方向またはＹ軸方向では透過領域３０１と非透過領域３０２が交互に配置されることとなるため、連続する透過領域３０１において同一の色が対応付けられた画素が連続して視認される数を少なくすることができる。そのため、透過領域３０１から視認される画素に隣接する画素も同一の色が対応付けられた画素が連続して視認される数も少なくすることができ、隣接画素からの漏れ光による色づきが線上に見えることを抑制することができる。
【０１１７】
本実施形態において、視差調整部３は、光を透過する透過領域３０１および光の透過を制限する非透過領域３０２を構成するパララックスバリアを構成する場合について説明したが、視差調整部３の構成はこれに限られない。例えば、所定の数の第３電極を含む制御ユニットに対して、段階的に異なる電荷を印加して、液晶レンズを形成してもよい。
【０１１８】
図２２は、視差調整部が液晶レンズの場合の比較例における動作を説明するための説明図である。図２３は、視差調整部が液晶レンズの場合の本実施形態における動作を説明するための説明図である。また、図２４は、視点に関する位置情報が第２の値を示す場合の視差調整部の動作の別例を示す説明図である。なお、液晶レンズはフレネルレンズ等を構成してもよいが、凸レンズを形成する場合について以下に説明する。視点に関する位置情報が第１の値を示す場合において、例えば、視点と視差調整部３との距離がＬ１である場合において、表示制御部４および視差制御部５は以下のように制御される。表示制御部４は各視点に対応する隣接画素数が１となるように制御し、視差制御部５は複数の第３電極（例えば、５つ）からなる制御ユニットに対して段階的に電荷を印加し、凸レンズを形成する。なお、視点に関する位置情報が第１の値を示す場合における制御ユニットの幅はＷ１ａとする。
【０１１９】
各画素からの光は、形成された凸レンズを介して、視差調整部３の表面に対する垂線に対して異なる角度を有する平行光として出射される。
第１視点に対応する画素ＰＬの中央位置を通る光が凸レンズによって平行光となる範囲をＷｃＬ１とし、第１視点に対応する画素ＰＬと、画素ＰＬに隣接する第２視点に対応する画素ＰＲとのとの境界位置を通る光が凸レンズによって平行光となる範囲をＷｅＬ１とする。
一方で、第２視点に対応する画素ＰＲの中央位置を通る光が凸レンズによって平行光となる範囲をＷｃＲ１とし、第２視点に対応する画素ＰＲと、画素ＰＲと隣接する第１視点に対応する画素ＰＬとの境界位置を通る光が凸レンズによって平行光となる範囲をＷｅＲ１とする。
【０１２０】
視点に関する位置情報が第１の値を示す場合、画素中央部から出る光によって形成される平行光の中央位置に近い位置に視点が位置する。例えば、第１視点ＯＰＬと視差調整部３との距離がＬ１である場合において、第１視点ＯＰＬは、ＷｃＬ１の中心よりＷｅＬ１の中心に近い位置に位置する。このため、隣接する異なる視点が対応付けられた画素からの影響が抑えられた画像を視認することができる。
【０１２１】
視点に関する位置情報が第２の値を示す場合において、隣接画素との境界から出る光によって形成される平行光の中央位置に近い位置に視点が移動する。例えば、第１視点ＯＰＬと視差調整部３との距離がＬ２である場合において、第１視点ＯＰＬは、ＷｃＬ１の中心よりＷｅＬ１の中心に近い位置に位置する。つまり、異なる視点が対応付けられた画素との境界位置からの光が視認されやすくなる。そのため、隣接画素からの影響を受け、クロストークが生じる恐れがある。
【０１２２】
そこで、図２３に示す通り、視点に関する位置情報が第２の値を示す場合において、表示制御部４は各視点に対応する隣接画素数が２となるように制御する。
ここで、第１視点に対応する２つの画素ＰＬの中央位置を通る光が凸レンズによって平行光となる範囲をＷｃＬ２とし、第１視点に対応する２つの画素ＰＬと、画素ＰＬと隣接する第２視点に対応する画素ＰＲとの境界位置を通る光が凸レンズによって平行光となる範囲をＷｅＬ２とする。
一方で、第２視点に対応する２つの画素ＰＲの中央位置を通る光が凸レンズによって平行光となる範囲をＷｃＲ２とし、第１視点に対応する２つの画素ＰＲと、画素ＰＲと隣接する第２視点に対応する画素ＰＬとの境界位置を通る光が凸レンズによって平行光となる範囲をＷｅＲ２とする。
各視点に対応する隣接画素数が２となるように制御することで、異なる視点が対応づけられた画素の境界位置を通る平行光の位置を変更することができる。具体的には、第１視点ＯＰＬと視差調整部３との距離がＬ２である場合において、第１視点ＯＰＬは、ＷｅＬ２の中心よりＷｃＬ２の中心に近い位置に配置させることができる。このため、隣接する異なる視点が対応付けられた画素からの影響が抑えられた画像を視認することができる。
【０１２３】
また、図２３においては、視点位置の変更に伴って、表示制御部４によって表示部２の隣接画素数を変更する場合について示したが、視差制御部５によって視差調整部３の制御ユニットの幅が変更されてもよい。具体的には、図２４に示すように、視点ＯＰＬと視差調整部３との距離がＬ２となった場合において、視差調整部３の制御ユニットの幅をＷ１ａとは異なるＷ１ｂに変更してもよい。なお、Ｗ１ｂは、Ｗ１ａより大きい値を示す。
ここで、第１視点に対応する２つの画素ＰＬの中央位置を通る光が凸レンズによって平行光となる範囲をＷｃＬ３とし、第１視点に対応する２つの画素ＰＬと、画素ＰＬと隣接する第２視点に対応する画素ＰＲとの境界位置を通る光が凸レンズによって平行光となる範囲をＷｅＬ３とする。
一方で、第２視点に対応する２つの画素ＰＲの中央位置を通る光が凸レンズによって平行光となる範囲をＷｃＲ３とし、第１視点に対応する２つの画素ＰＲと、画素ＰＲと隣接する第２視点に対応する画素ＰＬとの境界位置を通る光が凸レンズによって平行光となる範囲をＷｅＲ３とする。
このように、制御ユニットの幅を大きくすることによって、同一の視点に対応する画素の中央部からの光の平行光の範囲を大きくすることができるため、クロストークの影響を抑えることができる。より具体的には、同一の視点ＯＰＬに対応する２つの画素ＰＬの中央位置を通る平行光の幅ＷｃＬ３が、ＷｃＬ２より大きくなるため、視点ＯＰＬにおいて、画素ＰＬの中央位置通る光が視認できる。そのため、異なる視点ＯＰＲが対応付けられた画素ＰＲからの光の影響を抑えられた画像を視認することができる。
【０１２４】
つまり、マトリクス状に配置された画素を有し、複数の視点に対応する画像を表示する表示部２と、前記表示部２に対向する位置に配置され、各視点に対応する画素からの光を各視点に振り分ける複数の制御ユニットからなる視差調整部３とを有する表示装置１において、視点に関する位置情報に基づいて、制御ユニットの幅を変更する視差制御部５と、視点に関する位置情報に基づいて、各視点に対応する画像を表示する隣接画素数を変更する表示制御部４とを有することで、表示装置に対して視点に対応する観察者の前後移動に対して、視点毎に隣接することなる視点に対応する画素からの影響を抑えた最適な画像を表示することが可能な表示装置を提供することができる。
【０１２５】
言い換えると、マトリクス状に配置された画素を有し、複数の視点に対応する画像を表示する表示部２と、前記表示部２に対向する位置に配置され、複数の第３電極３３に対応する複数の制御ユニットを有し、各制御ユニットを構成する第３電極３３に与えられる電荷に応じて、各視点に対応する画素の光を各視点に振り分ける視差調整部３とを有する表示装置１において、視点に関する位置情報に基づいて、制御ユニットに含まれる第３電極３３の個数を変更する視差制御部５と、視点に関する位置情報に基づいて、各視点に対応する画像を表示する隣接画素数を変更する表示制御部４と、を有することで、表示装置に対して視点に対応する観察者の前後移動に対して、視点毎に隣接することなる視点に対応する画素からの影響を抑えた最適な画像を表示することが可能な表示装置を提供することができる。
【０１２６】
なお、本実施形態において、視差調整部３は透過領域３０１と非透過領域３０２が交互に配置し、各視点ごとに異なる画素からの光を透過すること示していたが、視差調整部３はすべての領域を透過領域とすることを含んでもよい。例えば、視差調整部３はすべての領域を透過領域３０１とする場合を２Ｄ表示モードとして、本実施形態のように右眼と左眼のそれぞれに各視点に応じた画素を表示させる３Ｄ表示モードや、第１視点と第２視点が異なる観察者に対応する視点であり、それぞれの観察者に対して異なる画素を表示させる多視点モードを有し、これらを切り換えることが可能であってもよい。さらに、本実施形態において、視差制御部５は、表示部２に対して視点の前後方向（Ｚ軸方向）の移動に応じて連続する透過領域３０１の幅を変更していたが、これに限られず、表示部２に対して視点が左右方向（Ｘ、又は、Ｙ方向）に移動した場合に、視差制御部５は、移動方向に応じて透過領域３０１の位置を変更するようにしてもよい。
【０１２７】
本実施例において、外部情報として、視点に関する位置情報を用いる場合について示したが、これに限られない。例えば、表示装置の使用者による選択信号を用いてもよい。より具体的には、特定の信号と、隣接画素数および視差調整部３の制御ユニットの数を対応付けて記録し、表示装置の使用者によって選択された信号に応じて、表示制御部４と視差制御部５は、隣接画素数および制御ユニットの数及び位置を変更してもよい。
なお、使用者の選択信号は、具体的な数値の入力等による信号限られず、例えば、車等に本発明にかかる表示装置が搭載された場合、座席の位置の調整に応じた信号を選択信号としてもよい。
【０１２８】
以上、本発明の好適な実施の形態を説明したが、本発明はこのような実施の形態に限定されるものではない。実施形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【０１２９】
本発明は少なくとも以下の実施の形態を含む。
〔付記１〕
マトリクス状に配置された画素を有し、複数の視点に対応する画像を表示する表示部と、
前記表示部に対向する位置に配置され、光を透過する複数の透過領域と、光の透過を制限する複数の非透過領域とが切り替え可能に設けられた視差調整部と
外部情報に基づいて、透過領域と非透過領域の位置を変更する視差制御部と、
外部情報に基づいて、各視点に対応する画像を表示する隣接画素数を変更する表示制御部と、  を有する
表示装置。
〔付記２〕
表示制御部は、表示部と視点との距離が第１の距離より短い第２の距離にある場合において、前記第１の距離において各視点に対応する画像を表示する隣接画素数より、前記第２の距離において各視点に対応する画像を表示する隣接画素数の方が多くする、
付記１に記載の表示装置。
〔付記３〕
視差制御部は、表示部と視点との距離が第１の距離より短い第２の距離にある場合において、前記第１の距離において各視点に対応する光を透過する透過領域の幅より、前記第２の距離において各視点に対応する光を透過する透過領域の幅を広くする
付記１又は付記２に記載の表示装置。
〔付記４〕
前記隣接画素には同一の画素信号が付与される
付記１から付記３のいずれか１つの付記に記載の表示装置。
〔付記５〕
前記画素は少なくとも２以上の色と対応付けられており、
前記各視点に対応付けられた隣接画素は、同一の色が対応付けらえている
付記１から付記４のいずれか１つの付記に記載の表示装置。
〔付記６〕
前記画素は少なくとも２以上の色と対応付けられており、
前記視点の数をｋとして、
前記外部情報が第１の値を示す場合における各視点に対応する画像を表示する隣接画素数をａ（ａ≧１）として、
前記外部情報が第２の値を示す場合における各視点に対応する画像を表示する隣接画素数をｂ（ｂ＞ａ）とすると、
ｋａとｋｂの最小公倍数Ｓに相当する数の連続して配置される画素において、Ｓ／ｋ個の画素に同一の画素信号が供給する
付記１から付記４のいずれか１つの付記に記載の表示装置。
〔付記７〕
前記画素ごとに少なくとも視点数に対応する数のスイッチ素子を有し、
表示制御部は、前記スイッチ素子を切り替える
付記１から付記６のいずれか１つの付記に記載の表示装置。
〔付記８〕
前記表示部は、各視点に対応するゲート線が第１の方向に沿って配置され、各視点に対応する信号線が、第１の方向と交差する第２の方向に沿って配置されており、
前記スイッチ素子はトランジスタであり、
前記各トランジスタのソースまたはドレインのいずかは前記信号線と接続されており、各トランジスタのゲートは前記ゲート線と接続されている
付記７に記載の表示装置。
〔付記９〕
前記表示制御部は、前記各視点に対応するゲート線と接続されたゲート選択回路を有しており、
前記表示制御部は、ゲート選択回路に印加された選択信号に応じて、選択されたゲート線にゲート信号を印加する
付記８に記載の表示装置。
〔付記１０〕
前記ゲート選択回路は、ラッチ回路を含み、
前記ラッチ回路は、前記選択信号を保持する
付記９に記載の表示装置。
〔付記１１〕
前記視差調整部の透過領域と非透過領域は、いずれも前記第２の方向に沿って延在する
付記８に記載の表示装置。
〔付記１２〕
前記視差調整部は、第２方向に沿って延在し、第１方向に配列された電極を有する
付記８に記載の表示装置。
〔付記１３〕
前記視差調整部は、液晶層を挟む第１の基板及び第２の基板と、
前記第１の基板の前記第２の基板と対向する面に設けられた、ストライプ状の複数の第１電極と、
前記第２の基板に設けられ、複数の前記第１電極と対向する第２電極とを有し、
複数の前記透過領域及び複数の前記非透過領域のそれぞれにおいて、前記第１電極が１つ又は複数隣り合っており、
前記第１電極と前記第２電極との間に印加される電界により、前記液晶層の液晶分子の配向を変化させることで、前記透過領域と前記非透過領域とを切り換える
付記１から付記１２のいずれか１つの付記に記載の表示装置。
〔付記１４〕
前記視差制御部は、駆動信号供給回路と、駆動信号保持回路とを有し、
前記駆動信号供給回路は、前記外部情報に基づく駆動信号を受け取って、前記駆動信号保持回路は前記駆動信号供給回路からの信号を順次記憶して、前記視差調整部に出力する
付記１から付記１３のいずれか１つの付記に記載の表示装置。
〔付記１５〕
前記外部情報に基づいて、複数の前記透過領域のうち一部の前記透過領域、又は複数の前記非透過領域のうち一部の前記非透過領域の幅を変化させる
付記１から付記１４のいずれか１つの付記に記載の表示装置。
〔付記１６〕
前記外部情報に基づいて、複数の前記透過領域又は複数の前記非透過領域のうち幅を変化させる前記透過領域又は前記非透過領域の個数を決定する
付記１５に記載の表示装置。
〔付記１７〕
前記外部情報に基づいて、複数の前記透過領域又は複数の前記非透過領域のうち幅を変化させる前記透過領域又は前記非透過領域を均等に配置する
付記１５又は付記１６に記載の表示装置。
〔付記１８〕
前記外部情報は、表示部の表示面の鉛直方向に対する、前記視点の位置の角度の情報を含む
付記１から付記１７のいずれか１つの付記に記載の表示装置。
〔付記１９〕
前記表示部は、マトリクス状に画素が配置された表示パネルと、表示パネルに対して光を照射する照明部からなり、
前記視差調整部は、前記照明部と前記表示パネルとの間に配置される。
付記１から付記１７のいずれか1つの付記に記載の表示装置。
〔付記２０〕
マトリクス状に配置された画素を有し、複数の視点に対応する画像を表示する表示部と、
前記表示部に対向する位置に配置され、光を透過する複数の透過領域と、光の透過を制限する複数の非透過領域とが切り替え可能に設けられた視差調整部とを有する表示装置の制御方法であって、
外部情報に基づいて、透過領域と非透過領域の位置を変更し、各視点に対応する画像を表示する隣接画素数を変更する表示装置の制御方法。
〔付記２１〕
マトリクス状に配置された画素を有し、複数の視点に対応する画像を表示する表示部と、
前記表示部に対向する位置に配置され、光を透過する複数の透過領域と、光の透過を制限する複数の非透過領域とが切り替え可能に設けられた視差調整部と
外部情報に基づいて、透過領域と非透過領域の位置を変更する視差制御部と、
外部情報に基づいて、各視点に対応する画像を表示する隣接画素数を変更する表示制御部と、
前記視点に関する位置情報を取得する位置情報取得部を有する
電子機器。
〔付記２２〕
マトリクス状に配置された画素を有し、少なくとも第１視点と第２視点に対応する画像を表示する表示部と、
前記表示部に対向する位置に配置され、光を透過する複数の透過領域と、光の透過を制限する複数の非透過領域とが切り替え可能に設けられた視差調整部と、を有し、
観察者と表示部との距離が第１の距離にある場合において、
視差調整部は、少なくとも一部の透過領域と非透過領域が第１の間隔で交互に配置され、
表示部は隣接するｐ（ｐ≧１）個の画素で各視点に対応する画像を表示し、
観察者と表示部との距離が第１の距離より短い第２の距離にある場合において、
視差調整部は、少なくとも一部の透過領域と非透過領域が第１の間隔より大きい第２の間隔で交互に配置され、
表示部は隣接するｑ個（ｑ＞ｐ）の画素で各視点に対応する画像を表示する
表示装置。
〔付記２３〕
マトリクス状に配置された画素を有し、複数の視点に対応する画像を表示する表示部と、
前記表示部に対向する位置に配置され、複数の電極を含む複数の制御ユニットを有し、各制御ユニットを複数の電極に与えられる電荷に応じて、各画素の光を各視点へと振り分ける視差調整部と
外部情報に基づいて、前記制御ユニットを構成する電極の数、又は、位置を変更する視差制御部と、
外部情報に基づいて、各視点に対応する画像を表示する隣接画素数を変更する表示制御部と、を有する
表示装置。
【符号の説明】
【０１３０】
１  表示装置
２  表示部
３  視差調整部
４  表示制御部
５  視差制御部
６  照明部
７  位置情報取得部
８  制御部
９  撮像部
１０  電子機器
２０  表示パネル
２１  第１基板
２２  第２基板
２３  第１電極
２４  第２電極
２５  液晶層
２６  カラーフィルタ
２７  第１偏光板
２８  第２偏光板
２９  シール材
３０  接着層
３１  第３基板
３２  第４基板
３３  第３電極
３４  第４電極
３５  液晶層
３０１  透過領域
３０２  非透過領域
４１Ｌ、４１Ｒ  スイッチ素子
４２Ｌ、４２Ｒ  信号線
４３Ｌ、４２Ｒ  ゲート線
４０  選択回路
４０１  ゲート駆動回路
４０２  選択信号入力回路
４０３  選択信号保持回路
４０４  切換回路
５０  選択回路
５０１  駆動信号供給回路
５０２  駆動信号保持回路
Ｐ  画素
【図１】
2017129749.tif 000003
【図２】
2017129749.tif 000004
【図３】
2017129749.tif 000005
【図４】
2017129749.tif 000006
【図５】
2017129749.tif 000007
【図６】
2017129749.tif 000008
【図７】
2017129749.tif 000009
【図８】
2017129749.tif 000010
【図９】
2017129749.tif 000011
【図１０】
2017129749.tif 000012
【図１１】
2017129749.tif 000013
【図１２】
2017129749.tif 000014
【図１３】
2017129749.tif 000015
【図１４】
2017129749.tif 000016
【図１５】
2017129749.tif 000017
【図１６】
2017129749.tif 000018
【図１７】
2017129749.tif 000019
【図１８】
2017129749.tif 000020
【図１９】
2017129749.tif 000021
【図２０】
2017129749.tif 000022
【図２１】
2017129749.tif 000023
【図２２】
2017129749.tif 000024
【図２３】
2017129749.tif 000025
【図２４】
2017129749.tif 000026